(57)【要約】      （修正有）【課題】ウェイクアップ無線信号と無線ＬＡＮ信号の両方を送信するアクセスポイントに接続するステーションが、付加された無線機能に従う信号フレームを誤認識し、非効率なチャネルアクセスを行なって、周波数利用効率を低下させるのを回避する。【解決手段】アクセスポイント装置は、無線ＬＡＮ信号とウェイクアップ無線信号を送信する送信ＲＦ部１２０８と、キャリアセンスを行なう受信ＲＦ部１２１１と、送信信号と受信信号を制御する制御部１２１９を備える。制御部１２１９が送信ＲＦ部１２０８を設定する事で、無線ＬＡＮ信号は、ウェイクアップ無線信号の送信期間を示す情報を含むことを特徴とする。【選択図】図１２
2020145485.tif 000002
【特許請求の範囲】
【請求項１】
複数のステーション装置と接続して無線通信を行うアクセスポイント装置であって、
無線ＬＡＮ信号とウェイクアップ無線信号を送信する送信ＲＦ部と、
キャリアセンスを行なう受信ＲＦ部と、
送信信号と受信信号を制御する制御部を備え、
前記制御部が前記送信ＲＦ部を設定する事で、前記無線ＬＡＮ信号は、前記ウェイクアップ無線信号の送信期間を示す情報を含むことを特徴とする、アクセスポイント装置。
【請求項２】
前記制御部が前記送信ＲＦ部を設定する事で、前記無線ＬＡＮ信号と、前記ウェイクアップ無線信号を、それぞれ異なる無線チャネルを用いて送信することを特徴とする、請求項１に記載のアクセスポイント装置。
【請求項３】
前記制御部が前記送信ＲＦ部を設定する事で、前記無線ＬＡＮ信号と、前記ウェイクアップ無線信号を、隣接する無線チャネルを用いて送信することを特徴とする、請求項２に記載のアクセスポイント装置。
【請求項４】
前記制御部は、前記無線ＬＡＮ信号が備えるＳＩＧフィールドに記載されるＤｕｒａｔｉｏｎ情報と、前記ウェイクアップ無線信号が備えるＳＩＧフィールドに記載されるＤｕｒａｔｉｏｎ情報を共通とすることを特徴とする、請求項２または請求項３に記載のアクセスポイント装置。
【請求項５】
前記制御部は、前記ウェイクアップ無線信号の送信時にＳＩＧフィールドを含むレガシー部分をウェイクアップ無線チャネルで送信するときに、前記無線ＬＡＮ信号が備えるＳＩＧフィールドを含む信号に、位相回転を与えた信号を前記レガシー部分のＳＩＧフィールドに設定することを特徴とする、請求項４に記載のアクセスポイント装置。
【請求項６】
前記制御部は、前記無線ＬＡＮ信号に、前記ウェイクアップ無線信号に位相回転を与えた信号を設定することを特徴とする、請求項４に記載のアクセスポイント装置。
【請求項７】
前記送信ＲＦ部は、前記無線ＬＡＮ信号と、前記ウェイクアップ無線信号を同時に送信し、
前記制御部は、前記受信ＲＦ部を使用し、前記無線ＬＡＮ信号の送信に先立って、前記無線ＬＡＮ信号を送信する無線チャネルにおいて、第１の期間と、ランダムバックオフ動作によって設定される期間だけキャリアセンスを行ない、前記ウェイクアップ無線信号を送信する無線チャネルにおいて、前記第１の期間と前記ランダムバックオフ動作によって設定される期間の終了時点から、第２の期間だけ遡った時間から、キャリアセンスを行なう、請求項２または請求項３に記載のアクセスポイント装置。
【請求項８】
前記送信ＲＦ部は、送信時に２以上の無線チャネルを同時に使用し、
前記２以上の無線チャネルを使用した送信の際に、
前記制御部は、前記送信ＲＦ部を制御して、前記無線チャネルの１つで前記ウェイクアップ無線信号を送信し、前記ウェイクアップ無線信号を送信した無線チャネル以外の無線チャネルで前記無線ＬＡＮ信号を送信するか、前記無線チャネル全てを用いて前記無線ＬＡＮ信号を送信するか、の少なくとも１つを用いて送信するように切り替えることを特徴とする、請求項２または請求項３に記載のアクセスポイント装置。
【請求項９】
前記送信ＲＦ部は、前記ウェイクアップ無線信号を送信する無線チャネルを変更することを示す情報を含む無線信号を、前記ウェイクアップ無線信号を送信する無線チャネルにおいて、送信することを特徴とする、請求項２または請求項３に記載のアクセスポイント
装置。
【請求項１０】
複数のステーション装置と接続して無線通信を行うアクセスポイント装置であって、
無線ＬＡＮ信号とウェイクアップ無線信号を送信する送信ＲＦ部と、
キャリアセンスを行なう受信ＲＦ部と、
送信信号と受信信号を制御する制御部と、を備え、
前記制御部は、前記ウェイクアップ無線信号が、前記無線ＬＡＮ信号が使用する信号フォーマットの一部を使用したレガシー部分と、ウェイクアップ無線用の変調方式を使用するＷＵ無線部分を含むように設定し、
前記ＷＵ無線部分はＳＩＧフィールドとペイロード部を含み、
前記ペイロード部に使用する変調方式と符号化方式の組み合わせは複数使用でき、
前記ＳＩＧフィールドは、前記使用する変調方式と符号化方式の組み合わせを示す情報と、ペイロード部のシンボル数に関する情報を含み、
前記使用する変調方式と符号化方式の組み合わせを示す情報の値に基づいて、ペイロード部のシンボル数に設定する値の最大数が変わるように設定することを特徴とするアクセスポイント装置。
【請求項１１】
複数のステーション装置と接続して無線通信を行うアクセスポイント装置であって、
無線ＬＡＮ信号とウェイクアップ無線信号を送信する送信ＲＦ部と、
キャリアセンスを行なう受信ＲＦ部と、
送信信号と受信信号を制御する制御部と、を備え、
前記制御部は、前記ウェイクアップ無線信号を送信する際に、
前記ウェイクアップ無線信号に、ＳＩＧフィールドを備え、
前記ＳＩＧフィールドは、ＲＡＴＥフィールドを備え、
前記送信ＲＦ部は、前記無線ＬＡＮ信号を送信する場合、前記ＲＡＴＥフィールドに６Ｍｂｐｓの伝送レートを示す値を記載し、前記ウェイクアップ無線信号を送信する場合、前記ＲＡＴＥフィールドに６Ｍｂｐｓ以外の伝送レートを示す値を記載することを特徴とする、アクセスポイント装置。
【請求項１２】
アクセスポイント装置と接続して無線通信を行なうステーション装置であって、
無線ＬＡＮ信号とウェイクアップ無線信号を受信する機能と、キャリアセンスを行なう機能を備える受信ＲＦ部と、
送信信号と受信信号を制御する制御部と、を備え、
前記制御部は、前記受信ＲＦ部を制御することで、自装置宛ての前記ウェイクアップ無線信号を受信した場合、前記キャリアセンスを行なう無線チャネルを、前記無線ＬＡＮ信号を受信する無線チャネルに変更することを特徴とする、ステーション装置。
【請求項１３】
前記受信ＲＦ部は、前記アクセスポイントから、前記ウェイクアップ無線信号が送信される無線チャネルが変更されることを示す情報を含む信号を受信し、
前記制御部は、前記受信ＲＦ部を制御することで、前記無線チャネルが変更されることを示す情報に基づいて、前記ウェイクアップ無線信号を受信する受信動作に入る無線チャネルを変更することを特徴とする、請求項１２に記載のステーション装置。
【請求項１４】
複数のステーション装置と接続して無線通信を行うアクセスポイント装置の通信方法であって、
無線ＬＡＮ信号とウェイクアップ無線信号を送信する送信ステップと、
キャリアセンスを行なう受信ステップと、
送信信号と受信信号を制御する制御ステップと、を備え、
前記制御ステップが、前記送信ステップを設定する事で、前記無線ＬＡＮ信号は、前記ウェイクアップ無線信号の送信期間を示す情報を含むことを特徴とする、通信方法。
【発明の詳細な説明】
【技術分野】
【０００１】
本発明は、アクセスポイント装置、ステーション装置、ならびに通信方法に関する。
【背景技術】
【０００２】
近年、比較的自由に使用できる自営の端末装置、基地局装置を少なくとも含んで構成される無線通信システムの利用が進んでおり、いわゆる無線ＬＡＮをはじめとする様々な形態で様々な用途に用いられている。特に無線ＬＡＮは導入の難易度が低く、インターネットへの接続を確保するネットワーク形態や、外部から隔離されたネットワーク形態のどちらにも適用可能で、広い用途に使用されている。無線ＬＡＮは、普及当初は通信速度が１Ｍｂｐｓ程度であったが、技術の進歩と共に高速化が進み、基地局装置における通信データの総スループットは１Ｇｂｐｓを超えている（非特許文献１、非特許文献２）。
【０００３】
一方無線ＬＡＮとは異なり、通信速度の高速化よりも端末装置の消費電力を低減することを主眼とした無線通信システムの利用も進んでいる。このような無線通信システムとしては、Ｂｌｕｅｔｏｏｔｈ（登録商標）やＺＩＧＢＥＥ（登録商標）などがあり、主に電池を電源として使用するシステムに使用されている。
【０００４】
無線ＬＡＮの普及が広がるに従い、無線ＬＡＮを、電池を電源とする機器に導入することの要求が増えている。現在の無線ＬＡＮは待機時間を増やすパワーセーブ動作が規定されているが、消費電力を減らすためには待機時間を増やすしかなく、この事は通信データが発生した際に通信が可能となるまでの待ち時間、すなわちレイテンシの増大を意味し、ユーザー体験を著しく低下させる原因となっている。
【０００５】
そこで、最近、無線ＬＡＮの物理層に低電力で動作する無線機能を付加し、待機時間にこの付加した無線機能を用いる事で、低消費電力と待機時間の短縮化を図る通信システムの標準化活動が行われている（非特許文献３）。
【先行技術文献】
【非特許文献】
【０００６】
【非特許文献１】ＩＥＥＥ  ｓｔｄ  ８０２．１１−２０１２
【非特許文献２】ＩＥＥＥ  ｓｔｄ  ８０２．１１ａｃ−２０１３
【非特許文献３】ＩＥＥＥ  Ｐ８０２．１１，Ａ  ＰＡＲ  Ｐｒｏｐｏｓａｌ  ｆｏｒ  Ｗａｋｅ−ｕｐ  ｒａｄｉｏ
【発明の概要】
【発明が解決しようとする課題】
【０００７】
新しい通信システムの規格化に際し、既存規格との共存が重要な課題となる。しかし、付加された無線機能で扱われる信号フレームは、既存の無線ＬＡＮで扱われる信号フレームと異なる信号波形が用いられることが検討されている。そのため、既存の無線ＬＡＮ端末装置が、付加された無線機能に対応したアクセスポイントに接続されている場合、該無線ＬＡＮ端末装置が、付加された無線機能に従う信号フレームを誤認識した場合、非効率なチャネルアクセスが行われてしまい、周波数利用効率の低下を招いてしまう。
【０００８】
本発明は以上の課題を鑑みてなされたものであり、その目的は、規格の異なる信号フレームの誤認識に起因する非効率なチャネルアクセスの発生を回避する、アクセスポイント装置、ステーション装置、および通信方法を開示するものである。
【課題を解決するための手段】
【０００９】
上述した課題を解決するための本発明に係るアクセスポイント装置、ステーション装置、及び通信方法は、次の通りである。
【００１０】
（１）すなわち、本発明の一態様に係るアクセスポイント装置は、複数のステーション装置と接続して無線通信を行うアクセスポイント装置であって、無線ＬＡＮ信号とウェイクアップ無線信号を送信する送信ＲＦ部と、キャリアセンスを行なう受信ＲＦ部と、送信信号と受信信号を制御する制御部を備え、前記制御部が前記送信ＲＦ部を設定する事で、前記無線ＬＡＮ信号は、前記ウェイクアップ無線信号の送信期間を示す情報を含むことを特徴とする。
【００１１】
（２）また、本発明の一態様に係るアクセスポイント装置は、上記（１）に記載され、前記制御部が前記送信ＲＦ部を設定する事で、前記無線ＬＡＮ信号と、前記ウェイクアップ無線信号を、それぞれ異なる無線チャネルを用いて送信することを特徴とする。
【００１２】
（３）また、本発明の一態様に係るアクセスポイント装置は、上記（２）に記載され、前記制御部が前記送信ＲＦ部を設定する事で、前記無線ＬＡＮ信号と、前記ウェイクアップ無線信号を、隣接する無線チャネルを用いて送信することを特徴とする。
【００１３】
（４）また、本発明の一態様に係るアクセスポイント装置は、上記（２）または（３）に記載され、前記制御部は、前記無線ＬＡＮ信号が備えるＳＩＧフィールドに記載されるＤｕｒａｔｉｏｎ情報と、前記ウェイクアップ無線信号が備えるＳＩＧフィールドに記載されるＤｕｒａｔｉｏｎ情報を共通とすることを特徴とする。
【００１４】
（５）また、本発明の一態様に係るアクセスポイント装置は、上記（４）に記載され、前記制御部は、前記ウェイクアップ無線信号の送信時にＳＩＧフィールドを含むレガシー部分をウェイクアップ無線チャネルで送信するときに、前記無線ＬＡＮ信号が備えるＳＩＧフィールドを含む信号に、位相回転を与えた信号を前記レガシー部分のＳＩＧフィールドに設定することを特徴とする。
【００１５】
（６）また、本発明の一態様に係るアクセスポイント装置は、上記（４）に記載され、前記制御部は、前記無線ＬＡＮ信号に、前記ウェイクアップ無線信号に位相回転を与えた信号を設定することを特徴とする。
【００１６】
（７）また、本発明の一態様に係るアクセスポイント装置は、上記（２）または（３）に記載され、前記送信ＲＦ部は、前記無線ＬＡＮ信号と、前記ウェイクアップ無線信号を同時に送信し、前記制御部は、前記受信ＲＦ部を使用し、前記無線ＬＡＮ信号を送信に先立って前記無線ＬＡＮ信号を送信する無線チャネルにおいて、第１の所定の期間と、ランダムバック動作によって設定される期間だけキャリアセンスを行ない、前記ウェイクアップ無線信号を送信する無線チャネルにおいて、前記第１の所定の期間と前記ランダムバックオフ動作によって設定される期間の終了時点から、第２の所定の期間だけ遡った時間から、キャリアセンスを行なうことを特徴とする。
【００１７】
（８）また、本発明の一態様に係るアクセスポイント装置は、上記（２）または（３）に記載され、前記送信ＲＦ部は、送信時に２以上の無線チャネルを同時に使用し、前記２以上の無線チャネルを使用した送信の際に、前記制御部は、前記送信ＲＦ部を制御して、前記無線チャネルの１つでウェイクアップ無線信号を送信し、前記ウェイクアップ無線信号を送信した無線チャネル以外の無線チャネルで前記無線ＬＡＮ信号を送信するか、前記無線チャネル全てを用いて無線ＬＡＮ信号を送信するか、の少なくとも１つを用いて送信するように切り替えることを特徴とする。
【００１８】
（９）また、本発明の一態様に係るアクセスポイント装置は、上記（２）または（３）に記載され、前記送信ＲＦ部は、前記ウェイクアップ無線信号を送信する無線チャネルを変更することを示す情報を含む無線信号を、前記ウェイクアップ無線信号を送信する無線チャネルにおいて、送信することを特徴とする。
【００１９】
（１０）また、本発明の一態様に係るアクセスポイント装置は、複数のステーション装置と接続して無線通信を行うアクセスポイント装置であって、無線ＬＡＮ信号とウェイクアップ無線信号を送信する送信ＲＦ部と、キャリアセンスを行なう受信ＲＦ部と、送信信号と受信信号を制御する制御部と、を備え、前記制御部は、前記ウェイクアップ無線信号が、前記無線ＬＡＮ信号が使用する信号フォーマットの一部を使用したレガシー部分と、ウェイクアップ無線用の変調方式を使用するＷＵ無線部分を含むように設定し、前記ＷＵ無線部分はＳＩＧフィールドとペイロード部を含み、前記ペイロード部に使用する変調方式と符号化方式の組み合わせは複数使用でき、前記ＳＩＧフィールドは、前記使用する変調方式と符号化方式の組み合わせを示す情報と、ペイロード部のシンボル数に関する情報を含み、前記使用する変調方式と符号化方式の組み合わせを示す情報の値に基づいて、ペイロード部のシンボル数に設定する値の最大数が変わるように設定することを特徴とする。
【００２０】
（１１）また、本発明の一態様に係るアクセスポイント装置は、複数のステーション装置と接続して無線通信を行うアクセスポイント装置であって、無線ＬＡＮ信号とウェイクアップ無線信号を送信する送信ＲＦ部と、キャリアセンスを行なう受信ＲＦ部と、送信信号と受信信号を制御する制御部と、を備え、前記制御部は、前記ウェイクアップ無線信号を送信する際に、前記ウェイクアップ無線信号に、ＳＩＧフィールドを備え、前記ＳＩＧフィールドは、ＲＡＴＥフィールドを備え、前記送信ＲＦ部は、前記無線ＬＡＮ信号を送信する場合、前記ＲＡＴＥフィールドに６Ｍｂｐｓの伝送レートを示す値を記載し、前記ウェイクアップ無線信号を送信する場合、前記ＲＡＴＥフィールドに６Ｍｂｐｓ以外の伝送レートを示す値を記載することを特徴とする。
【００２１】
（１２）また、本発明の一態様に係るステーション装置は、アクセスポイント装置と接続して無線通信を行なうステーション装置であって、無線ＬＡＮ信号とウェイクアップ無線信号を受信する機能と、キャリアセンスを行なう機能を備える受信ＲＦ部と、送信信号と受信信号を制御する制御部と、を備え、前記制御部は、前記受信ＲＦ部を制御することで、自装置宛ての前記ウェイクアップ無線信号を受信した場合、前記キャリアセンスを行なう無線チャネルを、前記無線ＬＡＮ信号を受信する無線チャネルに変更することを特徴とする。
【００２２】
（１３）また、本発明の一態様に係るステーション装置は、上記（１２）に記載され、前記受信ＲＦ部は、前記アクセスポイントから、前記ウェイクアップ無線信号が送信される無線チャネルが変更されることを示す情報を含む信号を受信し、前記制御部は、前記受信ＲＦ部を制御することで、前記無線チャネルが変更されることを示す情報に基づいて、前記ウェイクアップ無線信号を受信する受信動作に入る無線チャネルを変更することを特徴とする。
【００２３】
（１４）また、本発明の一態様に係る通信方法は、複数のステーション装置と接続して無線通信を行うアクセスポイント装置の通信方法であって、無線ＬＡＮ信号とウェイクアップ無線信号を送信する送信ステップと、キャリアセンスを行なう受信ステップと、送信信号と受信信号を制御する制御ステップと、を備え、前記制御ステップが、前記送信ステップを設定する事で、前記無線ＬＡＮ信号は、前記ウェイクアップ無線信号の送信期間を示す情報を含むことを特徴とする。
【発明の効果】
【００２４】
本発明によれば、規格の異なる信号フレームの誤認識に起因する非効率なチャネルアクセスの発生を回避するアクセスポイント装置、ステーション装置、および通信方法が提供されるから、無線ＬＡＮデバイスのユーザスループットの改善に寄与することができる。
【図面の簡単な説明】
【００２５】
【図１】本発明の一実施形態の機器構成例を示す図である。
【図２】ＩＥＥＥ８０２．１１ａｃ規格のＰＰＤＵ構成を示す図である。
【図３】Ｌ−ＳＩＧ  Ｄｕｌａｔｉｏｎの一例を示す図である。
【図４】本発明の一実施形態の周波数リソース分割の一例を示す図である。
【図５】本発明の一実施形態のＰＰＤＵの構成の一例を示す図である。
【図６】本発明の一実施形態のフレーム送信の一例を示す図である。
【図７】本発明の一実施形態のＷＵ無線フレームの構成例を示す図である。
【図８】本発明の一実施形態のチャネルアクセスの一例を示す図である。
【図９】本発明の一実施形態におけるＷＵ無線チャネルの配置例を示す図である。
【図１０】本発明の一実施形態におけるステーションの動作概要を示すフローチャート図である。
【図１１】本発明の一実施形態における動作概要を示すシーケンスチャートを示す図である。
【図１２】本発明の一実施形態で使用するステーションの構成の一例を示すブロック図である。
【図１３】本発明の一実施形態で使用するステーションの構成の一例を示すブロック図である。
【図１４】本発明の一実施形態で使用するＷＵ無線信号の構成の一例を示す図である。
【図１５】本発明の一実施形態で使用するＷＵ無線フレームの構成の一例を示す図である。
【発明を実施するための形態】
【００２６】
以下、本発明の実施形態による無線通信技術について図面を参照しながら詳細に説明する。
【００２７】
本実施形態における通信システムは、無線送信装置（アクセスポイント: Access point、基地局装置、アクセスポイント装置）、および複数の無線受信装置（ステーション: station、端末装置、ステーション装置）を備える。また、基地局装置と端末装置とで構成
されるネットワークを基本サービスセット（BSS: Basic service set、管理範囲）と呼ぶ。また、基地局装置と、端末装置をまとめて、無線装置とも呼称する。端末装置は、基地局装置が備える機能を備えることができる。
【００２８】
ＢＳＳ内の基地局装置および端末装置は、それぞれＣＳＭＡ／ＣＡ（Carrier sense multiple access with collision avoidance）に基づいて、通信を行なうものとする。本実施形態においては、基地局装置が複数の端末装置と通信を行なうインフラストラクチャモードを対象とするが、本実施形態の方法は、端末装置同士が通信を直接行なうアドホックモードでも実施可能である。アドホックモードでは、端末装置が、基地局装置の代わりとなりＢＳＳを形成する。アドホックモードにおけるＢＳＳを、ＩＢＳＳ（Independent Basic Service Set）とも呼称する。以下では、アドホックモードにおいてＩＢＳＳを形成
する端末装置を、基地局装置とみなすこともできる。
【００２９】
ＩＥＥＥ８０２．１１システムでは、各装置は、共通のフレームフォーマットを持った
複数のフレームタイプの送信フレームを送信することが可能である。送信フレームは、物理（Physical：ＰＨＹ）層、媒体アクセス制御（Medium access control：ＭＡＣ）層、
論理リンク制御（LLC: Logical Link Control）層、でそれぞれ定義されている。
【００３０】
ＰＨＹ層の送信フレームは、物理プロトコルデータユニット（PPDU: PHY protocol data unit、物理層フレーム）と呼ばれる。ＰＰＤＵは、物理層での信号処理を行なうためのヘッダ情報等が含まれる物理層ヘッダ（PHYヘッダ）と、物理層で処理されるデータユニ
ットである物理サービスデータユニット（PSDU: PHY service data unit）等から構成さ
れる。ＰＳＤＵは無線区間における再送単位となるＭＡＣプロトコルデータユニット（MPDU: MAC protocol data unit）が複数集約された集約ＭＰＤＵ（A-MPDU: Aggregated MPDU）で構成されることが可能である。
【００３１】
ＰＨＹヘッダには、信号の検出・同期等に用いられるショートトレーニングフィールド（STF: Short training field）、データ復調のためのチャネル情報を取得するために用
いられるロングトレーニングフィールド（LTF: Long training field）などの参照信号と、データ復調のための制御情報が含まれているシグナル（Signal：ＳＩＧ）などの制御信号が含まれる。また、ＳＴＦは、対応する規格に応じて、レガシーＳＴＦ（L-STF: Legacy-STF）や、高スループットＳＴＦ（HT-STF: High throughput-STF）や、超高スループットＳＴＦ（VHT-STF: Very high throughput-STF）や、高効率ＳＴＦ（HE-STF: High efficiency-STF）等に分類される。ＬＴＦやＳＩＧも、ＳＴＦと同様にＬ−ＬＴＦ、ＨＴ−ＬＴＦ、ＶＨＴ−ＬＴＦ、ＨＥ−ＬＴＦ、Ｌ−ＳＩＧ、ＨＴ−ＳＩＧ、ＶＨＴ−ＳＩＧ、ＨＥ−ＳＩＧに分類される。ＶＨＴ−ＳＩＧは更にＶＨＴ−ＳＩＧ−Ａ１とＶＨＴ−ＳＩＧ−Ａ２とＶＨＴ−ＳＩＧ−Ｂに分類される。同様に、ＨＥ−ＳＩＧは、ＨＥ−ＳＩＧ−Ａ１〜４と、ＨＥ−ＳＩＧ−Ｂに分類される。
【００３２】
さらに、ＰＨＹヘッダは当該送信フレームの送信元のＢＳＳを識別する情報（以下、ＢＳＳ識別情報とも呼称する）を含むことができる。ＢＳＳを識別する情報は、例えば、当該ＢＳＳのＳＳＩＤ（Service Set Identifier）や当該ＢＳＳの基地局装置のＭＡＣアドレスであることができる。また、ＢＳＳを識別する情報は、ＳＳＩＤやＭＡＣアドレス以外の、ＢＳＳに固有な値（例えばＢＳＳ  Ｃｏｌｏｒ等）であることができる。
【００３３】
ＰＰＤＵは対応する規格に応じて変調される。例えば、ＩＥＥＥ８０２．１１ｎ規格であれば、直交周波数分割多重（OFDM: Orthogonal frequency division multiplexing）信号に変調される。例えば、ＩＥＥＥ８０２．１１ａｄ規格であれば、シングルキャリア信号に変調されることもできる。
【００３４】
ＭＰＤＵはＭＡＣ層での信号処理を行なうためのヘッダ情報等が含まれるＭＡＣ層ヘッダ（MAC header）と、ＭＡＣ層で処理されるデータユニットであるＭＡＣサービスデータユニット（MSDU: MAC service data unit）もしくはフレームボディ、ならびにフレーム
に誤りがないかをどうかをチェックするフレーム検査部（Frame check sequence：ＦＣＳ）で構成されている。また、複数のＭＳＤＵは集約ＭＳＤＵ（A-MSDU: Aggregated MSDU
）として集約されることも可能である。
【００３５】
ＭＡＣ層の送信フレームのフレームタイプは、装置間の接続状態などを管理するマネージメントフレーム、装置間の通信状態を管理するコントロールフレーム、および実際の送信データを含むデータフレームの３つに大きく分類され、それぞれは更に複数種類のサブフレームタイプに分類される。コントロールフレームには、受信完了通知（Ack: Acknowledge）フレーム、送信要求（RTS: Request to send）フレーム、受信準備完了（CTS: Clear to send）フレーム等が含まれる。マネージメントフレームには、ビーコン（Beacon）フレーム、プローブ要求（Probe request）フレーム、プローブ応答（Probe response）
フレーム、認証（Authentication）フレーム、接続要求（Association request）フレー
ム、接続応答（Association response）フレーム等が含まれる。データフレームには、データ（Data）フレーム、ポーリング（CF-poll）フレーム等が含まれる。各装置は、ＭＡ
Ｃヘッダに含まれるフレームコントロールフィールドの内容を読み取ることで、受信したフレームのフレームタイプおよびサブフレームタイプを把握することができる。
【００３６】
なお、Ａｃｋには、Ｂｌｏｃｋ  Ａｃｋが含まれても良い。Ｂｌｏｃｋ  Ａｃｋは、複数のＭＰＤＵに対する受信完了通知を実施可能である。
【００３７】
ビーコンフレームには、ビーコンが送信される周期（Beacon interval）やＳＳＩＤを
記載するフィールド（Field）が含まれる。基地局装置は、ビーコンフレームを周期的に
ＢＳＳ内に報知することが可能であり、端末装置はビーコンフレームを受信することで、端末装置周辺の基地局装置を把握することが可能である。端末装置が基地局装置より報知されるビーコンフレームに基づいて基地局装置を把握することを受動的スキャニング（Passive scanning）と呼ぶ。一方、端末装置がプローブ要求フレームをＢＳＳ内に報知することで、基地局装置を探査することを能動的スキャニング（Active scanning）と呼ぶ。
基地局装置は該プローブ要求フレームへの応答としてプローブ応答フレームを送信することが可能であり、該プローブ応答フレームの記載内容は、ビーコンフレームと同等である。
【００３８】
端末装置は基地局装置を認識したあとに、該基地局装置に対して接続処理を行なう。接続処理は認証（Authentication）手続きと接続（Association）手続きに分類される。端
末装置は接続を希望する基地局装置に対して、認証フレーム（認証要求）を送信する。基地局装置は、認証フレームを受信すると、該端末装置に対する認証の可否などを示すステータスコードを含んだ認証フレーム（認証応答）を該端末装置に送信する。端末装置は、該認証フレームに記載されたステータスコードを読み取ることで、自装置が該基地局装置に認証を許可されたか否かを判断することができる。なお、基地局装置と端末装置は認証フレームを複数回やり取りすることが可能である。
【００３９】
端末装置は認証手続きに続いて、基地局装置に対して接続手続きを行なうために、接続要求フレームを送信する。基地局装置は接続要求フレームを受信すると、該端末装置の接続を許可するか否かを判断し、その旨を通知するために、接続応答フレームを送信する。接続応答フレームには、接続処理の可否を示すステータスコードに加えて、端末装置を識別するためのアソシエーション識別番号（AID: Association identifier）が記載されて
いる。基地局装置は接続許可を出した端末装置にそれぞれ異なるＡＩＤを設定することで、複数の端末装置を管理することが可能となる。
【００４０】
接続処理が行われたのち、基地局装置と端末装置は実際のデータ伝送を行なう。ＩＥＥＥ８０２．１１システムでは、分散制御機構（DCF: Distributed Coordination Function）と集中制御機構（PCF: Point Coordination Function）、およびこれらが拡張された機構（拡張分散チャネルアクセス（EDCA: Enhanced distributed channel access）や、ハ
イブリッド制御機構(HCF: Hybrid coordination function)等）が定義されている。以下
では、基地局装置が端末装置にＤＣＦで信号を送信する場合を例にとって説明する。
【００４１】
ＤＣＦでは、基地局装置および端末装置は、通信に先立ち、自装置周辺の無線チャネルの使用状況を確認するキャリアセンス（CS: Carrier sense）を行なう。例えば、送信局
である基地局装置は予め定められたクリアチャネル評価レベル（ＣＣＡレベル: Clear channel assessment level）よりも高い信号を該無線チャネルで受信した場合、該無線チャネルでの送信フレームの送信を延期する。以下では、該無線チャネルにおいて、ＣＣＡレベル以上の信号が検出される状態をビジー（Busy）状態、ＣＣＡレベル以上の信号が検出
されない状態をアイドル（Idle）状態と呼ぶ。このように、各装置が実際に受信した信号の電力（受信電力レベル）に基づいて行なうＣＳを物理キャリアセンス（物理CS）と呼ぶ。なおＣＣＡレベルをキャリアセンスレベル（CS level）、もしくはＣＣＡ閾値（CCA threshold：ＣＣＡＴ）とも呼ぶ。なお、基地局装置および端末装置は、ＣＣＡレベル以上
の信号を検出した場合は、少なくともＰＨＹ層の信号を復調する動作に入る。そのため、キャリアセンスレベルは、基地局装置および端末装置が、受信したフレームを正しく復調できる最小の受信電力（最小受信感度）ということもできる。
【００４２】
基地局装置は送信する送信フレームに種類に応じたフレーム間隔（IFS: Inter frame space）だけキャリアセンスを行ない、無線チャネルがビジー状態かアイドル状態かを判断する。基地局装置がキャリアセンスする期間は、これから基地局装置が送信する送信フレームのフレームタイプおよびサブフレームタイプによって異なる。ＩＥＥＥ８０２．１１システムでは、期間の異なる複数のＩＦＳが定義されており、最も高い優先度が与えられた送信フレームに用いられる短フレーム間隔（SIFS: Short IFS）、優先度が比較的高い
送信フレームに用いられるポーリング用フレーム間隔（PCF IFS: ＰＩＦＳ）、最も優先
度の低い送信フレームに用いられる分散制御用フレーム間隔（DCF IFS: ＤＩＦＳ）等が
ある。優先度の高い送信フレームに用いられるＩＦＳの方が期間は短く、例えば、ＳＩＦＳは１６ｕｓ、ＰＩＦＳは２５ｕｓ、ＤＩＦＳは３４ｕｓに設定されることができる。基地局装置がＤＣＦでデータフレームを送信する場合、基地局装置はＤＩＦＳを用いる。なお、ＥＤＣＡにおいては、調停フレーム間隔（AIFS：Arbitration IFS）が利用可能であ
り、ＡＩＦＳでは、基地局装置が送信するフレームに設定されるアクセスカテゴリー（AC：Access category）毎に、異なる期間を設定することが可能であり、フレームの優先度
を更に柔軟に設定可能となる。
【００４３】
基地局装置はＤＩＦＳだけ待機したあとで、フレームの衝突を防ぐためのランダムバックオフ時間だけ更に待機する。ＩＥＥＥ８０２．１１システムにおいては、コンテンションウィンドウ（CW: Contention window）と呼ばれるランダムバックオフ時間が用いられ
る。ＣＳＭＡ／ＣＡでは、ある送信局が送信した送信フレームは、他送信局からの干渉が無い状態で受信局に受信されることを前提としている。そのため、送信局同士が同じタイミングで送信フレームを送信してしまうと、フレーム同士が衝突してしまい、受信局は正しく受信することができない。そこで、各送信局が送信開始前に、ランダムに設定される時間だけ待機することで、フレームの衝突が回避される。基地局装置はキャリアセンスによって無線チャネルがアイドル状態であると判断すると、ＣＷのカウントダウンを開始し、ＣＷが０となって初めて送信権を獲得し、端末装置に送信フレームを送信できる。なお、ＣＷのカウントダウン中に基地局装置がキャリアセンスによって無線チャネルをビジー状態と判断した場合は、ＣＷのカウントダウンを停止する。そして、無線チャネルがアイドル状態となった場合、先のＩＦＳに続いて、基地局装置は残留するＣＷのカウントダウンを再開する。
【００４４】
受信局である端末装置は、送信フレームを受信し、該送信フレームのＰＨＹヘッダを読み取り、受信した送信フレームを復調する。そして、端末装置は復調した信号のＭＡＣヘッダを読み取ることで、該送信フレームが自装置宛てのものか否かを認識することができる。なお、端末装置は、ＰＨＹヘッダに記載の情報（例えばVHT-SIG-Aの記載されるグル
ープ識別番号(GID: Group identifier, Group ID)）に基づいて、該送信フレームの宛先
を判断することも可能である。
【００４５】
端末装置は、受信した送信フレームが自装置宛てのものと判断し、そして誤りなく送信フレームを復調できた場合、フレームを正しく受信できたことを示すＡＣＫフレームを送信局である基地局装置に送信しなければならない。ＡＣＫフレームは、ＳＩＦＳ期間の待機だけ（ランダムバックオフ時間は取られない）で送信される最も優先度の高い送信フレ
ームの一つである。基地局装置は端末装置から送信されるＡＣＫフレームの受信をもって、一連の通信を終了する。なお、端末装置がフレームを正しく受信できなかった場合、端末装置はＡＣＫを送信しない。よって基地局装置は、フレーム送信後、一定期間（ＳＩＦＳ＋ＡＣＫフレーム長）の間、受信局からのＡＣＫフレームを受信しなかった場合、通信は失敗したものとして、通信を終了する。このように、ＩＥＥＥ８０２．１１システムの１回の通信（バーストとも呼ぶ）の終了は、ビーコンフレームなどの報知信号の送信の場合や、送信データを分割するフラグメンテーションが用いられる場合などの特別な場合を除き、必ずＡＣＫフレームの受信の有無で判断されることになる。
【００４６】
端末装置は、受信した送信フレームが自装置宛てのものではないと判断した場合、ＰＨＹヘッダ等に記載されている該送信フレームの長さ（Length）に基づいて、ネットワークアロケーションベクタ（NAV: Network allocation vector）を設定する。端末装置は、ＮＡＶに設定された期間は通信を試行しない。つまり、端末装置は物理ＣＳによって無線チャネルがビジー状態と判断した場合と同じ動作をＮＡＶに設定された期間行なうことになるから、ＮＡＶによる通信制御は仮想キャリアセンス（仮想CS）とも呼ばれる。ＮＡＶは、ＰＨＹヘッダに記載の情報に基づいて設定される場合に加えて、隠れ端末問題を解消するために導入される送信要求（RTS: Request to send）フレームや、受信準備完了（CTS:
Clear to send）フレームによっても設定される。
【００４７】
各装置がキャリアセンスを行ない、自律的に送信権を獲得するＤＣＦに対して、ＰＣＦは、ポイントコーディネータ（PC: Point coordinator）と呼ばれる制御局が、ＢＳＳ内
の各装置の送信権を制御する。一般に基地局装置がＰＣとなり、ＢＳＳ内の端末装置の送信権を獲得することになる。
【００４８】
ＰＣＦによる通信期間には、非競合期間（CFP: Contention free period）と競合期間
（CP: Contention period）が含まれる。ＣＰの間は、前述してきたＤＣＦに基づいて通
信が行われ、ＰＣが送信権を制御するのはＣＦＰの間となる。ＰＣである基地局装置は、ＣＦＰの期間（CFP Max duration）などが記載されたビーコンフレームをＰＣＦの通信に先立ちＢＳＳ内に報知する。なお、ＰＣＦの送信開始時に報知されるビーコンフレームの送信にはＰＩＦＳが用いられ、ＣＷを待たずに送信される。該ビーコンフレームを受信した端末装置は、該ビーコンフレームに記載されたＣＦＰの期間をＮＡＶに設定する。以降、ＮＡＶが経過する、もしくはＣＦＰの終了をＢＳＳ内に報知する信号（例えばCF-endを含んだデータフレーム）が受信されるまでは、端末装置はＰＣより送信される送信権獲得をシグナリングする信号（例えばCF-pollを含んだデータフレーム）を受信した場合のみ
、送信権を獲得可能である。なお、ＣＦＰの期間内では、同一ＢＳＳ内でのパケットの衝突は発生しないから、各端末装置はＤＣＦで用いられるランダムバックオフ時間を取らない。
【００４９】
無線媒体は複数のリソースユニット（Resource unit：ＲＵ）に分割されることができ
る。図４は無線媒体の分割状態の１例を示す概要図である。例えば、リソース分割例１では、無線通信装置は無線媒体である周波数リソース（サブキャリア）を９個のＲＵに分割することができる。同様に、リソース分割例２では、無線通信装置は無線媒体であるサブキャリアを５個のＲＵに分割することができる。当然ながら、図４に示すリソース分割例はあくまで１例であり、例えば、複数のＲＵはそれぞれ異なるサブキャリア数によって構成されることも可能である。また、ＲＵとして分割される無線媒体には周波数リソースだけではなく空間リソースも含まれることができる。無線通信装置（例えばＡＰ）は、各ＲＵに異なる端末装置宛てのフレームを配置することで、複数の端末装置（例えば複数のＳＴＡ）に同時にフレームを送信することができる。ＡＰは、無線媒体の分割の状態を示す情報（Resource allocation information）を、共通制御情報として、自装置が送信する
フレームのＰＨＹヘッダに記載することができる。更に、ＡＰは、各ＳＴＡ宛てのフレー
ムが配置されたＲＵを示す情報（resource unit assignment information）を、固有制御情報として、自装置が送信するフレームのＰＨＹヘッダに記載することができる。
【００５０】
また、複数の端末装置（例えば複数のＳＴＡ）は、それぞれ割り当てられたＲＵにフレームを配置して送信することで、同時にフレームを送信することができる。複数のＳＴＡは、ＡＰから送信されるトリガ情報を含んだフレーム（Trigger frame：ＴＦ）を受信し
た後、所定の期間待機したのち、フレーム送信を行なうことができる。各ＳＴＡは、該ＴＦに記載の情報に基づいて自装置に割り当てられたＲＵを把握することができる。また、各ＳＴＡは、該ＴＦを基準としたランダムアクセスによりＲＵを獲得することができる。
【００５１】
ＡＰは、１つのＳＴＡに複数のＲＵを同時に割り当てることができる。該複数のＲＵは、連続するサブキャリアで構成されることも出来るし、不連続のサブキャリアで構成されることも出来る。ＡＰは、１つのＳＴＡに割り当てた複数のＲＵを用いて、１つのフレームを送信することが出来るし、複数のフレームをそれぞれ異なるＲＵに割り当てて送信することができる。該複数のフレームの少なくとも１つは、Ｒｅｓｏｕｒｃｅ  ａｌｌｏｃａｔｉｏｎ  ｉｎｆｏｒｍａｔｉｏｎを送信する複数の端末装置に対する共通の制御情報を含むフレームであることができる。
【００５２】
１つのＳＴＡは、ＡＰより複数のＲＵを割り当てられることができる。ＳＴＡは、割り当てられた複数のＲＵを用いて、１つのフレームを送信することができる。また、ＳＴＡは割り当てられた複数のＲＵを用いて、複数のフレームをそれぞれ異なるＲＵに割り当てて送信することができる。該複数のフレームは、それぞれ異なるフレームタイプのフレームであることができる。
【００５３】
ＡＰは、１つのＳＴＡに複数のＡＩＤ（Associate ID）を割り当てることができる。ＡＰは、１つのＳＴＡに割り当てた複数のＡＩＤに対して、それぞれＲＵを割り当てることができる。ＡＰは、１つのＳＴＡに割り当てた複数のＡＩＤに対して、それぞれ割り当てたＲＵを用いて、それぞれ異なるフレームを送信することができる。該異なるフレームは、それぞれ異なるフレームタイプのフレームであることができる。
【００５４】
１つのＳＴＡは、ＡＰより複数のＡＩＤ（Associate ID）を割り当てられることができる。１つのＳＴＡは割り当てられた複数のＡＩＤに対して、それぞれＲＵを割り当てられることができる。１つのＳＴＡは、自装置に割り当てられた複数のＡＩＤにそれぞれ割り当てられたＲＵは、全て自装置に割り当てられたＲＵと認識し、該割り当てられた複数のＲＵを用いて、１つのフレームを送信することができる。また、１つのＳＴＡは、該割り当てられた複数のＲＵを用いて、複数のフレームを送信することができる。このとき、該複数のフレームには、それぞれ割り当てられたＲＵに関連付けられたＡＩＤを示す情報を記載して送信することができる。ＡＰは、１つのＳＴＡに割り当てた複数のＡＩＤに対して、それぞれ割り当てたＲＵを用いて、それぞれ異なるフレームを送信することができる。該異なるフレームは、異なるフレームタイプのフレームであることができる。
【００５５】
以下では、基地局装置、端末装置を総称して、無線通信装置とも呼称する。また、ある無線通信装置が別の無線通信装置と通信を行う際にやりとりされる情報をデータ（data）とも呼称する。つまり、無線通信装置は、基地局装置及び端末装置を含む。
【００５６】
無線通信装置は、ＰＰＤＵを送信する機能と受信する機能のいずれか、または両方を備える。図５は、無線通信装置が送信するＰＰＤＵ構成の一例を示した図である。ＩＥＥＥ８０２．１１ａ／ｂ／ｇ規格に対応するＰＰＤＵはＬ−ＳＴＦ、Ｌ−ＬＴＦ、Ｌ−ＳＩＧ及びＤａｔａフレーム（ＭＡＣ  Ｆｒａｍｅ、ＭＡＣフレーム、ペイロード、データ部、データ、情報ビット等）を含んだ構成である。ＩＥＥＥ８０２．１１ｎ規格に対応するＰ
ＰＤＵはＬ−ＳＴＦ、Ｌ−ＬＴＦ、Ｌ−ＳＩＧ、ＨＴ−ＳＩＧ、ＨＴ−ＳＴＦ、ＨＴ−ＬＴＦ及びＤａｔａフレームを含んだ構成である。ＩＥＥＥ８０２．１１ａｃ規格に対応するＰＰＤＵはＬ−ＳＴＦ、Ｌ−ＬＴＦ、Ｌ−ＳＩＧ、ＶＨＴ−ＳＩＧ−Ａ、ＶＨＴ−ＳＴＦ、ＶＨＴ−ＬＴＦ、ＶＨＴ−ＳＩＧ−Ｂ及びＭＡＣフレームの一部あるいは全てを含んだ構成である。ＩＥＥＥ８０２．１１ａｘ標準で検討されているＰＰＤＵは、Ｌ−ＳＴＦ、Ｌ−ＬＴＦ、Ｌ−ＳＩＧ、Ｌ−ＳＩＧが時間的に繰り返されたＲＬ−ＳＩＧ、ＨＥ−ＳＩＧ−Ａ、ＨＥ−ＳＴＦ、ＨＥ−ＬＴＦ、ＨＥ−ＳＩＧ−Ｂ及びＤａｔａフレームの一部あるいは全てを含んだ構成である。
【００５７】
図５中の点線で囲まれているＬ−ＳＴＦ、Ｌ−ＬＴＦ及びＬ−ＳＩＧはＩＥＥＥ８０２．１１規格において共通に用いられる構成である（以下では、Ｌ−ＳＴＦ、Ｌ−ＬＴＦ及びＬ−ＳＩＧをまとめてＬ−ヘッダとも呼称する）。つまり、例えばＩＥＥＥ  ８０２．１１ａ／ｂ／ｇ規格に対応する無線通信装置は、ＩＥＥＥ８０２．１１ｎ／ａｃ規格に対応するＰＰＤＵ内のＬ−ヘッダを適切に受信することが可能である。ＩＥＥＥ  ８０２．１１ａ／ｂ／ｇ規格に対応する無線通信装置は、ＩＥＥＥ８０２．１１ｎ／ａｃ規格に対応するＰＰＤＵを、ＩＥＥＥ  ８０２．１１ａ／ｂ／ｇ規格に対応するＰＰＤＵとみなして受信することができる。
【００５８】
ただし、ＩＥＥＥ  ８０２．１１ａ／ｂ／ｇ規格に対応する無線通信装置はＬ−ヘッダの後に続く、ＩＥＥＥ８０２．１１ｎ／ａｃ規格に対応するＰＰＤＵを復調することができないため、送信アドレス（ＴＡ：Ｔｒａｎｓｍｉｔｔｅｒ  Ａｄｄｒｅｓｓ）や受信アドレス（ＲＡ：Ｒｅｃｅｉｖｅｒ  Ａｄｄｒｅｓｓ）やＮＡＶの設定に用いられるＤｕｒａｔｉｏｎ／ＩＤフィールドに関する情報を復調することができない。
【００５９】
ＩＥＥＥ  ８０２．１１ａ／ｂ／ｇ規格に対応する無線通信装置が適切にＮＡＶを設定する（あるいは所定の期間受信動作を行う）ための方法として、ＩＥＥＥ８０２．１１は、Ｌ−ＳＩＧにＤｕｒａｔｉｏｎ情報を挿入する方法を規定している。Ｌ−ＳＩＧ内の伝送速度に関する情報（ＲＡＴＥ  ｆｉｅｌｄ、Ｌ−ＲＡＴＥ  ｆｉｅｌｄ、Ｌ−ＲＡＴＥ、Ｌ＿ＤＡＴＡＲＡＴＥ、Ｌ＿ＤＡＴＡＲＡＴＥ  ｆｉｅｌｄ）、伝送期間に関する情報（ＬＥＮＧＴＨ  ｆｉｅｌｄ、Ｌ−ＬＥＮＧＴＨ  ｆｉｅｌｄ、Ｌ−ＬＥＮＧＴＨ）は、ＩＥＥＥ  ８０２．１１ａ／ｂ／ｇ規格に対応する無線通信装置が適切にＮＡＶを設定するために使用される。
【００６０】
図２は、Ｌ−ＳＩＧに挿入されるＤｕｒａｔｉｏｎ情報とＰＰＤＵ構成の関係の一例を示す図である。図２においては、一例としてＩＥＥＥ８０２．１１ａｃ規格に対応するＰＰＤＵ構成を示しているが、ＰＰＤＵ構成はこれに限定されない。ＩＥＥＥ８０２．１１ｎ規格に対応のＰＰＤＵ構成及びＩＥＥＥ８０２．１１ａｘ規格に対応するＰＰＤＵ構成でも良い。ＴＸＴＩＭＥは、ＰＰＤＵの長さに関する情報を備え、ａＰｒｅａｍｂｌｅＬｅｎｇｔｈは、プリアンブル（Ｌ−ＳＴＦ＋Ｌ−ＬＴＦ）の長さに関する情報を備え、ａＰＬＣＰＨｅａｄｅｒＬｅｎｇｔｈは、ＰＬＣＰヘッダ（Ｌ−ＳＩＧ）の長さに関する情報を備える。次式（１）は、Ｌ＿ＬＥＮＧＴＨの算出方法の一例を示した数式である。
【００６１】
【数１】
2020145485.tif 000003
【００６２】
ここで、Ｓｉｇｎａｌ  Ｅｘｔｅｎｓｉｏｎは、例えばＩＥＥＥ８０２．１１規格の互換性をとるために設定される仮想的な期間であり、Ｎｏｐｓは、Ｌ＿ＲＡＴＥに関連する
情報を示している。ａＳｙｍｂｏｌＬｅｎｇｔｈは、１シンボル（ｓｙｍｂｏｌ，ＯＦＤＭ  ｓｙｍｂｏｌ等）の期間に関する情報であり、ａＰＬＣＰＳｅｒｖｉｃｅＬｅｎｇｔｈは、ＰＬＣＰ  Ｓｅｒｖｉｃｅ  ｆｉｅｌｄが含むビット数を示し、ａＰＬＣＰＣｏｎｖｏｌｕｔｉｏｎａｌＴａｉｌＬｅｎｇｔｈは、畳みこみ符号のテールビット数を示す。無線通信装置は、例えば式（１）を用いてＬ＿ＬＥＮＧＴＨを算出し、Ｌ−ＳＩＧに挿入することができる。なお、Ｌ＿ＬＥＮＧＴＨの算出方法は式（１）に限定されない。例えば、Ｌ＿ＬＥＮＧＴＨは次式（２）によって算出されることもできる。
【００６３】
【数２】
2020145485.tif 000004
【００６４】
無線通信装置がＬ−ＳＩＧ  ＴＸＯＰ  ＰｒｏｔｅｃｔｉｏｎによりＰＰＤＵを送信する場合、次式（３）または次式（４）によりＬ＿ＬＥＮＧＴＨの算出を行う。
【００６５】
【数３】
2020145485.tif 000005
【００６６】
【数４】
2020145485.tif 000006
【００６７】
ここで、Ｌ−ＳＩＧ  Ｄｕｒａｔｉｏｎは、例えば式（３）または式（４）により算出されたＬ＿ＬＥＮＧＴＨを含むＰＰＤＵと、その応答として宛先の無線通信装置より送信されることが期待されるＡｃｋとＳＩＦＳの期間を合計した期間に関する情報を示す。無線通信装置は、次式（５）または次式（６）によりＬ−ＳＩＧ  Ｄｕｒａｔｉｏｎを算出する。
【００６８】
【数５】
2020145485.tif 000007
【００６９】
【数６】
2020145485.tif 000008
【００７０】
ここで、Ｔｉｎｉｔ＿ＰＰＤＵは式（５）により算出されたＬ＿ＬＥＮＧＴＨを含むＰＰＤＵの期間に関する情報を示し、ＴＲｅｓ＿ＰＰＤＵは式（５）により算出されたＬ＿ＬＥＮＧＴＨを含むＰＰＤＵに対して期待される応答のＰＰＤＵ期間に関する情報を示す。また、ＴＭＡＣＤｕｒは、式（６）により算出されたＬ＿ＬＥＮＧＴＨを含むＰＰＤＵ内のＭＡＣフレームが含むＤｕｒａｔｉｏｎ／ＩＤ  ｆｉｅｌｄの値に関連する情報を示す。無線通信装置がＩｎｉｔｉａｔｏｒ（開始者、送信者、先導者、Ｔｒａｎｓｍｉｔｔｅｒ）である場合、式（５）を用いてＬ＿ＬＥＮＧＴＨを算出し、無線通信装置がＲｅｓｐｏｎｄｅｒ（対応者、受信者、Ｒｅｃｅｉｖｅｒ）である場合、式（６）を用いてＬ＿ＬＥＮＧＴＨを算出する。
【００７１】
図３は、Ｌ−ＳＩＧ  ＴＸＯＰ  Ｐｒｏｔｅｃｔｉｏｎにおける、Ｌ−ＳＩＧ  Ｄｕｒａｔｉｏｎの一例を示した図である。ＤＡＴＡ（フレーム、ペイロード、データ等）は、ＭＡＣフレームとＰＬＣＰヘッダの一部または両方から構成される。また、ＢＡはＢｌｏｃｋ  Ａｃｋ、またはＡｃｋである。ＰＰＤＵは、Ｌ−ＳＴＦ，Ｌ−ＬＴＦ，Ｌ−ＳＩＧを含み、さらにＤＡＴＡ，ＢＡ、ＲＴＳあるいはＣＴＳのいずれかまたはいずれか複数を含んで構成されることができる。図３に示す一例では、ＲＴＳ／ＣＴＳを用いたＬ−ＳＩＧ  ＴＸＯＰ  Ｐｒｏｔｅｃｔｉｏｎを示しているが、ＣＴＳ−ｔｏ−Ｓｅｌｆを用いても良い。ここで、ＭＡＣ  Ｄｕｒａｔｉｏｎは、Ｄｕｒａｔｉｏｎ／ＩＤ  ｆｉｅｌｄの値によって示される期間である。また、ＩｎｉｔｉａｔｏｒはＬ−ＳＩＧ  ＴＸＯＰ  Ｐｒｏｔｅｃｔｉｏｎ期間の終了を通知するためにＣＦ＿Ｅｎｄフレームを送信することができる。
【００７２】
続いて、無線通信装置が受信するフレームからＢＳＳを識別する方法について説明する。無線通信装置が、受信するフレームからＢＳＳを識別するためには、ＰＰＤＵを送信する無線通信装置が当該ＰＰＤＵにＢＳＳを識別するための情報（ＢＳＳ  ｃｏｌｏｒ，ＢＳＳ識別情報、ＢＳＳに固有な値）を挿入することが好適である。ＢＳＳ  ｃｏｌｏｒを示す情報は、ＨＥ−ＳＩＧ−Ａに記載されることが可能である。
【００７３】
無線通信装置は、Ｌ−ＳＩＧを複数回送信する（Ｌ−ＳＩＧ  Ｒｅｐｅｔｉｔｉｏｎ）ことができる。例えば、受信側の無線通信装置は、複数回送信されるＬ−ＳＩＧをＭＲＣ（Ｍａｘｉｍｕｍ  Ｒａｔｉｏ  Ｃｏｍｂｉｎｉｎｇ）を用いて受信することで、Ｌ−ＳＩＧの復調精度が向上する。さらに無線通信装置は、ＭＲＣによりＬ−ＳＩＧを正しく受信完了した場合に、当該Ｌ−ＳＩＧを含むＰＰＤＵがＩＥＥＥ８０２．１１ａｘ規格に対応するＰＰＤＵであると解釈することができる。
【００７４】
無線通信装置は、ＰＰＤＵの受信動作中も、当該ＰＰＤＵ以外のＰＰＤＵの一部（例えば、ＩＥＥＥ８０２．１１により規定されるプリアンブル、Ｌ−ＳＴＦ、Ｌ−ＬＴＦ、ＰＬＣＰヘッダ等）の受信動作を行うことができる（二重受信動作とも呼称する）。無線通信装置は、ＰＰＤＵの受信動作中に、当該ＰＰＤＵ以外のＰＰＤＵの一部を検出した場合に、宛先アドレスや、送信元アドレスや、ＰＰＤＵあるいはＤＡＴＡ期間に関する情報の一部または全部を更新することができる。
【００７５】
Ａｃｋ及びＢＡは、応答（応答フレーム）とも呼称されることができる。また、プローブ応答や、認証応答、接続応答を応答と呼称することができる。
【００７６】
以上説明してきた機能の少なくとも一部を、無線通信装置は備えている。すなわち、ＡＰとＳＴＡは共通の機能を備えている。例えば、ＡＰは無線送信装置として、ＳＴＡにフレームを送信することができるが、当然、ＳＴＡも無線送信装置として、ＡＰにフレームを送信することができる。つまり、ＳＴＡは、ＡＰが備えるフレームを送信する機能の少なくとも一部を備えることができる。同様に、ＡＰは、ＳＴＡが備えるフレームを受信する機能の少なくとも一部を備えることができる。
【００７７】
（第１の実施形態）
以下、図を利用して本発明の一実施形態を詳細に説明する。図１は本実施の形態の機器構成の一例を示している。１００１は通信方式としてＩＥＥＥ８０２．１１仕様などの無線ＬＡＮ機能と、接続しているステーション（ＳＴＡ）のスリープ状態から起床させるためのＷＵ（ウェイクアップ）無線（Wake up radio : WUR）機能を備えるアクセスポイン
ト（ＡＰ）である。１００２、１００３は無線ＬＡＮ機能（プライマリ無線(Primary radio :PR))、メイン無線(Main radio :MR)）を使用した無線通信を行い、待機状態からＷＵ
無線機能によってアクセスポイント１００１から起床可能なＳＴＡである。ステーション１００２、１００３は、アクセスポイント１００１と通信可能な接続状態に置いて、機器を使用しないと判断した時、無線通信を暫く使用しないと判断した時に、アクセスポイント１００１との間の無線ＬＡＮによる通信を休止するスリープ状態に移行する事ができる。アクセスポイント１００１は、ＷＵ無線パケットをステーション１００２、１００３のいずれか、または両方に対して送信する事で、ステーション１００２、１００３のスリープ状態を解除し、通信可能な接続状態に戻すことが出来る。
【００７８】
図１１を利用してステーション１００２がアクセスポイント１００１との間の通信状態を、接続状態から休止状態に移行し、休止状態からＷＵ無線パケットによって接続状態に復帰する処理フローの一例を説明する。最初１１０１でアクセスポイント１００１とステーション１００２の間で無線ＬＡＮによる通信が行われる接続モードであるとする。次に１１０２でステーション１００２が休止状態に移行し、無線ＬＡＮ機能を停止し、ＷＵ無線信号（ウェイクアップ無線信号、ＷＵ無線フレーム、ＷＵデータフレーム、ＷＵフレーム）のみを受信する待機モードに移行する。この待機モードに移行するための手順は特に指定しないが、一例としてステーション１００２における通信が無い時間が所定の時間を超えた場合に自動的に待機モードに移行する方法、ステーション１００２からアクセスポイント１００１に対して待機モードに移行する通知を行う方法、アクセスポイント１００１からステーション１００２に対して待機モードに移行するよう要求する方法などを使用することが出来る。ステーション１００２が待機モードに移行した後、アクセスポイント１００１においてステーション１００２に対する送信データが発生した場合に、ステップ１１０３でアクセスポイント１００１はステーション１００２に対してＷＵ無線パケットを送信する。このＷＵ無線パケットを受信したステーション１００２は、無線ＬＡＮ機能を使える状態にし、その後ステップ１１０４でアクセスポイント１００１に対してＰＳ−ｐｏｌｌパケットを送信し、アクセスポイント１００１からデータを受信できるようになったことを通知する。このとき送信するパケットはｐｓ−Ｐｏｌｌでなくても良く、データを伴わないＮＤＰパケットなどのパケットを使用しても良い。このｐｓ−Ｐｏｌｌパケットを受信したアクセスポイント１００１は、ステーション１００２が接続モードに回復したと判断し、ステップ１１０７でステーション１００２と通信を行う。
【００７９】
図１２を利用してアクセスポイント１００１の構成概要の一例を説明する。１２０１は制御部１２１９からの指示で送信パケットのプリアンブルのデータを生成するプリアンブル生成部である。１２０２はプリアンブル部１２０１からの出力とＤＳ制御部１２１８から入力される通信データを基に制御部１２１９からの指示で送信パケットの各サブキャリアに配置するデータを生成する送信データ制御部である。１２０３は送信データ制御部１２０２からの出力を送信パケットのデータシンボルの各サブキャリアに設定するマッピング部である。１２０４はマッピング部１２０３で各サブキャリア毎に設定されたデータに対し、逆離散フーリエ変換（ＩＤＦＴ）処理を行うＩＤＦＴ部である。１２０５はＩＤＦＴ部１２０４の出力を送信順に並べ直すパラレル−シリアル（Ｐ／Ｓ）変換部である。１２０６はＰ／Ｓ変換部１２０５から入力されるデータにガードインターバル（ＧＩ）を付加するＧＩ付加部である。１２０７はＧＩ付加部１２０６でガードインターバルが付加されたベースバンドのデータをディジタル−アナログ（Ｄ／Ａ）変換するＤ／Ａ変換部である。１２０８はＤ／Ａ変換部１２０７から入力されるアナログのベースバンド信号をアンテナ部１２１０から送信する周波数に変換し、所望の電力まで増幅する送信ＲＦ部である。１２０９はアンテナ部１２１０の接続先を送信ＲＦ部１２０８または受信ＲＦ部１２１１のどちらかに切り替えるアンテナ切替部である。１２１０は所定の周波数の信号の送信と受信を行うアンテナ部である。１２１１はアンテナ部１２１０で受信した信号をアンテナ切替部１２０９経由で入力し、ベースバンド信号に変換する受信ＲＦ部である。１２１２は受信ＲＦ部から入力されるアナログのベースバンド信号をアナログ−ディジタル（Ａ／Ｄ）変換するＡ／Ｄ変換部である。１２１３はＡ／Ｄ変換されたベースバンド信号から
プリアンブルを検出し、Ｓ／Ｐ変換部１２１４にシンボルタイミングに伴ってガードインターバルを除去し、ガードインターバル除去後の受信信号を出力するシンボル同期部である。１２１４は入力された信号をシリアル−パラレル（Ｐ／Ｓ）変換により並列化して離散フーリエ変換（ＤＦＴ）処理可能な形式に変換するＰ／Ｓ変換部である。１２１５は入力された信号にＤＦＴ処理を行うＤＦＴ部である。１２１６はＤＦＴ処理後の信号を使用して各サブキャリアの信号点から復調データを推定するデマッピング部である。１２１７はデマッピング後のデータからパケットの構造を抽出して受信したパケットに誤りが含まれていないか調べ、誤りがない場合にそのパケットのペイロードをＤＳ制御部、または制御部１２１９に出力する受信データ制御部である。１２１８はネットワークと接続するための分配システム（ＤＳ）と受信データ・送信データを交換するためのＤＳ制御部である。１２１９は各ブロックの状態を監視し、予め決められた手順に従って各ブロックを制御する制御部である。
【００８０】
図１３を利用してステーション１００２、１００３の構成概要の一例を説明する。ステーション１００２、１００３の構成概要はどちらも同じものとする。１３０１は制御部１３１９からの指示で送信パケットのプリアンブルのデータを生成するプリアンブル生成部である。１３０２はプリアンブル部１３０１からの出力とアプリケーションＩＦ部１３１８を経由して入力される通信データを基に制御部１３１９からの指示で送信パケットの各サブキャリアに配置するデータを生成する送信データ制御部である。１３０３は送信データ制御部１３０２からの出力を送信パケットのデータシンボルの各サブキャリアに設定するマッピング部である。１３０４はマッピング部１３０３で各サブキャリア毎に設定されたデータに対し、逆離散フーリエ変換（ＩＤＦＴ）処理を行うＩＤＦＴ部である。１３０５はＩＤＦＴ部１３０４の出力を送信順に並べ直すパラレル−シリアル（Ｐ／Ｓ）変換部である。１３０６はＰ／Ｓ変換部１３０５から入力されるデータにガードインターバル（ＧＩ）を付加するＧＩ付加部である。１３０７はＧＩ付加部１３０６でガードインターバルが付加されたベースバンドのデータをディジタル−アナログ（Ｄ／Ａ）変換するＤ／Ａ変換部である。１３０８はＤ／Ａ変換部１３０７から入力されるアナログのベースバンド信号をアンテナ部１３１０から送信する周波数に変換し、所望の電力まで増幅する送信ＲＦ部である。１３０９はアンテナ部１３１０の接続先を送信ＲＦ部１３０８または受信ＲＦ部１３１１のどちらかに切り替えるアンテナ切替部である。１３１０は所定の周波数の信号の送信と受信を行うアンテナ部である。１３１１はアンテナ部１３１０で受信した信号をアンテナ切替部１３０９経由で入力し、ベースバンド信号に変換する受信ＲＦ部である。１３１１は受信ＲＦ部から入力されるアナログのベースバンド信号をアナログ−ディジタル（Ａ／Ｄ）変換するＡ／Ｄ変換部である。１３１３はＡ／Ｄ変換されたベースバンド信号からプリアンブルを検出し、Ｓ／Ｐ変換部１３１４にシンボルタイミングに伴ってガードインターバルを除去し、ガードインターバル除去後の受信信号を出力するシンボル同期部である。１３１４は入力された信号をシリアル−パラレル（Ｐ／Ｓ）変換により並列化して離散フーリエ変換（ＤＦＴ）処理可能な形式に変換するＰ／Ｓ変換部である。１３１５は入力された信号にＤＦＴ処理を行うＤＦＴ部である。１３１６はＤＦＴ処理後の信号を使用して各サブキャリアの信号点から復調データを推定するデマッピング部である。１３１７はデマッピング後のデータからパケットの構造を抽出して受信したパケットに誤りが含まれていないか調べ、誤りがない場合にそのパケットのペイロードをＤＳ制御部、または制御部１３１９に出力する受信データ制御部である。１３１８はネットワークと接続するための分配システム（ＤＳ）と受信データ・送信データを交換するためのＤＳ制御部である。１３２０は受信したベースバンド信号からＷＵ無線信号の帯域の信号を取り出すためのローパスフィルタ（ＬＰＦ）部である。１３２１はＬＰＦ部１３２０の出力信号を包絡線検波する包絡線検波部である。１３２２は包絡線検波部１３２１の出力信号からＷＵ無線信号のプリアンブルを検出する同期部である。１３２３はＷＵ無線パケットのプリアンブル以降の信号を復調する復調部である。１３１９は各ブロックの状態を監視し、予め決められた手順に従って各ブロックを制御する制御部である。
【００８１】
ステーション１００２、１００３は無線ＬＡＮの通信を行う接続状態と、ＷＵ無線信号を受信する機能を使用する待機モード状態のそれぞれで、ステーション１００２、１００３を構成する各ブロックの電源状態を制御し、消費電力の適正化を行っても良い。一例として、接続状態ではＬＰＦ部１３２０、包絡線検波部１３２１、同期部１３２２、復調部１３２３が消費する電力を止めても良く、また、待機モード状態ではアンテナ切替部１３０９、受信ＲＦ部１３１１、ＬＰＦ部１３２０、包絡線検波部１３２１、同期部１３２２、復調部１３２３、制御部１３１９のみが動作すれば良く、他のブロックが消費する電力を止めても良い。アンテナ切替部１３０９の構成が、電源を供給していない時にアンテナ部１３１０と受信ＲＦ部１３１１が接続されるよう構成されている時はアンテナ切替部１３０９の電源供給を止めても良い。また、受信ＲＦ部１３１１の構成が無線ＬＡＮの信号を扱うときよりもＷＵ無線信号を扱うときの方が、受信ＲＦ部１３１１の消費電力が少なくなるように構成しても良い。
【００８２】
図１４にＷＵ無線信号の構成の一例を示す。図１４（ａ）において、縦軸方向は信号が占有する周波数帯域を示し、横軸は時間方向の占有時間を示す。１４０１はレガシー部分（Ｌ−ｐａｒｔ）で従来の無線ＬＡＮ信号と互換性がある信号を使用し、ＷＵ無線信号を受信できないステーションも受信可能な信号である。１４０２はＷＵ無線部分（ＷＵＲ−ｐａｒｔ）でＷＵ無線信号を受信する事ができるステーション用の信号である。図１４（ａ）に示したように、最初にＬ−ｐａｒｔ・１４０１を送信し、続いてＷＵＲ−ｐａｒｔ・１４０２を送信する。ＷＵＲ−ｐａｒｔ・１４０２はＬ−ｐａｒｔ・１４０１より帯域が狭く、情報速度を遅い信号形式を使用する事で、復調時に使用する電力を低減できるようにする。
【００８３】
本実施の形態では、Ｌ−ｐａｒｔ・１４０１の信号と、ＷＵＲ−ｐａｒｔ・１４０２の信号を、ＩＤＦＴを使用して生成する。図１４（ｂ）はＬ−ｐａｒｔ・１４０１を生成する際のＩＤＦＴ処理前のサブキャリア配置の概略図である。一例として、ＩＤＦＴの処理ポイント数が６４（インデックスの範囲を−３２〜３１とする）の場合、インデックスが−２６〜２６の範囲にサブキャリアを配置し、ＩＤＦＴ後のベースバンド信号が所定の帯域、例えば２０ＭＨｚに収まるようにする。なお、インデックス０はＤＣ（直流）キャリアとして使用しない。ＩＤＦＴのサブキャリアに設定する値は特に限定しないが、例えばＩＥＥＥ８０２．１１ａ規格で規定されているＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧｎａｌ）フィールドで使用する値を使用しても良い。なお、ＩＤＦＴのポイント数は６４に限定されず、例えば４０ＭＨｚ帯域とするために１２８ポイントのＩＤＦＴを使用しても良く、また、８０ＭＨｚ帯域とするために２５６ポイントのＩＤＦＴを使用しても良い。１２８ポイント、または２５６ポイントのＩＤＦＴを使用する場合、６４ポイントのＩＤＦＴを使用する場合に使用するサブキャリアの値を複製し、所望のポイント数の値を用意しても良い。図１４（ｃ）はＷＵＲ−ｐａｒｔ・１４０２を生成する際のＩＤＦＴ処理前のサブキャリア配置の概略図である。一例として、ＩＤＦＴ処理ポイント数が６４の場合、インデックスが−６〜６の範囲にサブキャリアを配置し、ＩＤＦＴ後のベースバンド信号が例えば４ＭＨｚに収まるようにする。なお、インデックス０はＤＣキャリアとして使用しない。ＷＵＲ信号送信時にサブキャリアに設定する値は特に指定しないが、一例としてＬ−ｐａｒｔのプリアンブル送信時例えばＩＥＥＥ８０２．１１ａのＳＴＦまたはＬＴＦに使用するサブキャリアの値を用いる方法や、Ｍ系列などの疑似乱数系列の一部を使用する方法などを使用して良い。
【００８４】
受信側のステーションにおいて、ＷＵ無線信号の復調時に使用する電力を低減するために、ＷＵ無線信号は包絡線検波が可能な形式とする。本実施の形態では、ＯＯＫ（オン・オフ・キーイング）変調方式を使用する。本実施の形態では、データの符号化として無符
号（符号を使用しない）と、マンチェスター符号を使用する符号化の２種類を使用するが、符号化方法は１種類でも良く、また２種類より多い種類を使用して良い。無符号のＯＯＫ変調を行った時のＷＵ無線信号の一例を図１５（ａ）に示す。変調シンボルは所定時間を単位とし、ＷＵ無線信号の振幅の有無を送信データビットに割り当てる。本実施の形態では振幅０を送信ビットの０とし、送信に使用するサブキャリアに所定のデータを設定してＷＵ無線信号の振幅がある状態を送信ビットの１とする。マンチェスター符号を使用したＯＯＫ変調を行った時のＷＵ信号の一例を図１５（ｂ）に示す。無符号のＯＯＫ変調を行った変調シンボル２つを１符号単位とし、マンチェスター符号による符号化後の変調シンボルとする。本実施の形態では無符号のＯＯＫ変調シンボルが０、１と並んだ状態を符号化前の送信データビット１とし、無符号のＯＯＫ変調シンボルが１、０と並んだ状態を符号化前の送信データビット０とする。
【００８５】
図１４（ａ）のＷＵＲ−ｐａｒｔ・１４０２で使用するＷＵ無線フレーム構造の概要を図１５（ｃ）に示す。１５０１は同期に使用するための同期部分で、所定の数と値のＯＯＫ変調シンボルで構成される。例えば、この同期部分は４つのＯＯＫ変調シンボルで構成され、送信データビットが１、０、１、０の並びとして良い。１５０２は以降の変調シンボルの変調方式・符号化方式（Ｍｏｄｕｒａｔｉｏｎ  ａｎｄ  Ｃｏｄｉｎｇ  Ｓｃｈｅｍｅ，ＭＣＳ）を示すフィールドで、無符号のＯＯＫ変調を使用する場合を１，０の並びのＯＯＫ変調シンボルで、マンチェスター符号を使用したＯＯＫ変調を使用する場合を０，１の並びのＯＯＫ変調シンボルで示す。これはＭＣＳを識別するための０または１の情報を、マンチェスター符号を使用して送信することと等価である。これにより、端末識別子フィールド１５０３、カウンタフィールド１５０４、予約フィールド１５０５、ＦＣＳフィールド１５０６はこのＭＣＳフィールド１５０２で示される変調方式で送信される。
【００８６】
ＭＣＳフィールドを省略して他の方法で端末識別子フィールド１５０３、カウンタフィールド１５０４、予約フィールド１５０５、ＦＣＳフィールド１５０６で使用するＭＣＳを通知しても良い。一例として同期部分で使用する送信データビットの並びを複数用意し、この複数の並びのいずれかが使用されたことでＭＣＳを通知しても良く、例えば１、０、１、０の並びが同期部分に使用され場合はマンチェスター符号を使用したＯＯＫ変調を使用し、１、０、０、１が使用された場合は無符号のＯＯＫ変調を使用するとしても良い。
【００８７】
１５０３は端末識別子フィールドで、ＷＵ無線信号を送信するアクセスポイントとＷＵ無線信号を受信するステーションのそれぞれの両方または片方を識別するために使用する情報を含む。この端末識別子フィールドに含まれる情報はアクセスポイントまたはステーションを完全に識別するものではなく、複数のアクセスポイントまたは複数のステーションに割り当てられうる情報を用い、端末識別子フィールドの長さを短縮しても良い。この短縮方法の一例として、図１５（ｄ）に示すようにＢＳＳ  ｃｏｌｏｒ・１５１１とアソシエーション識別子フィールド１５１２（Ａｓｓｏｃｉａｔｉｏｎ  ＩＤｅｎｔｉｆｉｅｒ，ＡＩＤ）から構成しても良く、また図１５（ｅ）に示すようにＢＳＳ  ｃｏｌｏｒ・１５１１と短縮ＡＩＤ（Ｐａｒｔｉａｌ  ＡＩＤ）１５１３で構成しても良い。ＢＳＳ  ｃｏｌｏｒは、現在標準化作業が進められているＩＥＥＥ８０２．１１ａｘ仕様に採用見込みの情報で、アクセスポイントのおおよその区別をするためにＭＡＣアドレス（４８ビット）より短い情報長、例えば６ビット長の情報を定義するもので、近隣に存在するアクセスポイントの間でできるだけ異なる値を設定するようにアクセスポイントの間で調整される。ＡＩＤ・１５１２はステーションがアクセスポイントに対して接続する（Ａｓｓｏｃｉａｔｉｏｎ  ｐｒｏｃｅｓｓを実行する）際に、アクセスポイントからそのステーションに対して割り当てられる識別子で、ＩＥＥＥ８０２．１１仕様では１２ビット長の情報で１〜１０２３が割り当てられる。Ｐａｒｔｉａｌ  ＡＩＤ・１５１３はＩＥＥＥ８０２．１１ａｃ仕様で規定されているもので、ＡＩＤを所定の方式で短縮した情報で９ビッ
ト長である。ＡＩＤ・１５１２やＰａｒｔｉａｌ  ＡＩＤ・１５１３はＭＡＣアドレス（４８ビット）よりも短い情報で、複数のアクセスポイントが近隣で運用されている場合、それぞれのアクセスポイントに接続されているステーションの間で重複する可能性がある。また、Ｐａｒｔｉａｌ  ＡＩＤ・１５１３は一つのアクセスポイントに接続している複数のステーションの間で重複する可能性がある。この端末識別子フィールド１５０３の情報が複数のステーション間で重複する場合の処理については後述する。
【００８８】
１５０４はカウンタフィールドで、リトライ処理、再接続処理に使用する。一例として、４ビット長のカウンタを使用し、ＷＵ無線信号の初送時は全て０を設定して良い。１５０５は予約フィールドで、機能追加の際に使用する。フィールド長は特に指定しないが、一例として４ビットの予約フィールド１５０５を設けてよい。将来機能追加を行わない場合はこの予約フィールド１５０５を省略しても良い。１５０６はＦＣＳ（Ｆｒａｍｅ  Ｃｈｅｃｋ  Ｓｅｑｕｅｎｃｅ）フィールドで、端末識別子フィールド１５０３から予約フィールド１５０５に含まれている受信データが正しいか検証するための値が含まれており、一例としてＣＲＣ（Ｃｙｃｌｉｃ  Ｒｅｄｕｎｄａｎｃｙ  Ｃｈｅｃｋ）符号、例えば生成多項式の長さが９ビットであるＣＲＣ−８を使用しても良い。
【００８９】
ＷＵ無線信号を受信する待機モード状態のステーション１００２、１００３は、ＬＰＦ部１３２０の出力電力が所定の閾値を下回った状態から所定の閾値を上回った状態に変化する事を検出してＬ−ｐａｒｔ・１４０１を受信したと判断し、包絡線検波部１３２１の出力を同期部１３２２が同期部分１５０１で使用するデータビットの並び、例えば１、０、１、０と変化する事を確認してＷＵ無線信号のフレームの復調を開始する。同期部分１５０１を検出したステーションは続くＭＣＳフィールド１５０２を受信し、ＭＣＳフィールド１５０２以降のフィールドのＭＣＳを推定する。このステーション１００２、１００３はこの推定結果を利用して以降のフィールドを復調する。このステーション１００２、１００３は端末識別子フィールド１５０３、カウンタフィールド１５０４、予約フィールド１５０５、ＦＣＳフィールド１５０６全てを復調し、ＦＣＳフィールド１５０６の値を利用して端末識別子フィールド１５０３、カウンタフィールド１５０４、予約フィールド１５０５を正しく復調したか判断し、正しく復調できたと判断できた場合に端末識別子フィールド１５０３が自ステーションを指定するものであるか判断する。端末識別子フィールド１５０３が自ステーションを指定する値であった場合、このステーション１００２、１００３の無線ＬＡＮ信号を使用して通信するためのブロックに電源を供給し、無線ＬＡＮ信号を利用する通信が出来る状態を回復する。無線ＬＡＮ信号を利用して通信が出来る状態になった後、このステーション１００２、１００３はアクセスポイント１００１に対して起床した事を通知するパケット、例えばｐｓ−Ｐｏｌｌパケットを送信し、アクセスポイント１００１に対して自ステーションに対するデータの送信を促す。なお、ＭＣＳフィールド１５０２を受信した後、端末識別子フィールド１５０３を受信した時点で、ＦＣＳフィールド１５０６の受信を待たずに端末識別子フィールド１５０３の値を確認し、自ステーションに対応する値でなかった場合は以降の復調処理を止め、次のＷＵ無線信号が検出されるまで復調部１３２３の消費電力を削減しても良い。このとき端末識別子フィールド１５０３の値全て確認するのではなく、端末識別子フィールド１５０３の中で最初に送信される一部分、例えばＢＳＳ  ｃｏｌｏｒ・１５１１の値を確認して、自ステーションに対応する値でなかった場合に以降の復調を停止しても良い。
【００９０】
ステーション１００２、１００３における待機モードの一連の処理の概要を図１０のフローチャートを用いて説明する。最初にステップ１６０１で待機モードへの移行条件が設立すると、ステーション１００２，１００３はＷＵ無線信号を受信するための複数のブロックに電源を供給し、無線ＬＡＮ信号を受信するため複数のブロックの電源を停止する。この状態で、ステップ１６０３でＬ−ｐａｒｔ・１４０１の信号を検出したか判断し、検出できなかった場合はステップ１６０３を繰り返す。Ｌ−ｐａｒｔ・１４０１の信号を検
出すると、ステップ１６０４で後続の信号に同期部分１５０１が含まれるか検出し、検出に失敗するとステップ１６０３に戻り、検出に成功するとステップ１６０５に進む。ステップ１６０５では同期部分１５０１に後続するＭＣＳフィールド１５０２を復調し、更に後続のフィールドをどのように復調するか決定する。続いてステップ１６０６でＭＣＳフィールド１５０２以降の全てのフィールドを復調する。次のステップ１６０７でＭＣＳフィールド１５０２以降のフィールドがＦＣＳフィールド１５０６の値を利用して検証し、この検証に成功するとステップ１６０８に、失敗するとステップ１６０３に進む。ステップ１６０８では端末識別子フィールド１５０３の値が自ステーションを指すものであるか判断し、端末識別子フィールド１５０３の値が自ステーションを指すものでなかった場合はステップ１６０３に戻り、端末識別子フィールドの値が自ステーションを指すものであった場合はステップ１６０９に進む。ステップ１６０９ではＷＵ無線信号を受信するためのブロックの電源供給を停止し、無線ＬＡＮ信号を使用するためのブロックの電源を供給する。続いてステップ１６１０で電源を供給した無線ＬＡＮ信号を使用するためのブロックの機能が回復するまで待ち、回復が確認できるとステップ１６１１に進む。ステップ１６１１で、ステーション１００２、１００３はアクセスポイント１００１に対してＰＳ−ｐｏｌｌパケットを送信する。続いてステップ１６１２でこのＰＳ−ｐｏｌｌに対してアクセスポイント１００１から自ステーション１００２、１００３に対する送信が行われたか判断し、自ステーション１００２、１００３に対する送信が無かったと判断した場合はステップ１６１３に、自ステーションに対する送信があったと判断した時はステップ１６１４に進む。ステップ１６１３ではＰＳ−ｐｏｌｌパケットの再送回数が満了したがどうかを判断し、満了した場合はアクセスポイント１００１と無線ＬＡＮ信号による通信が何らかの原因でできないものとして再び待機状態に設定するためにステップ１６０２に進み、再送回数が満了していない場合はステップ１６１１に進み、再度ＰＳ−ｐｏｌｌパケットの送信を行う。ステップ１６１４ではアクセスポイント１００１から受信した信号がＷＵ無線信号の受信誤り通知であるか判断し、受信誤り通知であった場合はステップ１６０２に進んで再度待機状態に戻り、受信誤り通知でなかった場合はステップ１６１５に進む。このアクセスポイント１００１から受信誤り通知を受ける状況は、近隣のＷＵ無線信号を利用する他のステーションで自ステーション１００２、１００３と同じ端末識別子フィールド１５０３の値を使用している事を意味する。このような状態を解消するために、ステップ１６０２に戻る前にステーション１００２、１００３はアクセスポイント１００１との間で情報を交換する事で端末識別子フィールド１５０３として使用する値の再割り当てを受けても良い。この際にＡＩＤ・１５１２やＰａｒｔｉａｌ  ＡＩＤ・１５１３の再割り当てを受けても良い。ステップ１６１５では待機モードを終了し、無線ＬＡＮ信号を用いてステーション１００２、１００３から信号を受信できるように各ブロックを設定し、ステーシ���ン１００２、１００３から待機状態に関する情報以外の情報の送信が出来るように各ブロックを設定する。続いてステップ１６１６で、ステップ１６１４で受信した信号を通常の受信データとして扱うように処理し、待機モードを終了する。
【００９１】
これまでの記載で説明した待機モードに関する各動作を行うために、アクセスポイント１００１は定期的に送信するビーコンに含む情報や、ステーション１００２、１００３がアクセスポイント１００１に接続するために使用するアソシエーション処理の中でアクセスポイント１００１からステーション１００２、１００３に対して送信する情報の中に待機モードの動作に関する情報を含めてよい。また、ステーション１００２、１００３がアソシエーション処理時にアクセスポイント１００１に対して送信する情報の中に待機モードの動作に関する情報を含めてよい。例えばステーション１００２、１００３から送信する情報として、待機モードの対応／非対応の情報、待機モード時に受信可能なＷＵ無線信号のＭＣＳの情報、ＷＵ無線信号を受信する間隔に関する情報、無線ＬＡＮ信号の帯域に対し、どの帯域をＷＵ無線信号用として使用するかを設定するための情報などを含めてよい。また、アクセスポイント１００１からステーション１００２、１００３に対して送信する情報の中に、端末識別子として使用する値に関する情報、ＷＵ無線信号を送信する時
刻や間隔に関する情報、ＷＵ無線信号を送信する際に使用する電力や帯域に関する情報を含めてよい。この電力や帯域に関する情報の一例について以下に説明する。
【００９２】
ＷＵ無線信号を送信する際に図１４（ａ）に示したＬ−ｐａｒｔ・１４０１とＷＵＲ−ｐａｒｔ・１４０２を使用すると、法的な規制などでＬ−ｐａｒｔ・１４０１とＷＵＲ−ｐａｒｔ・１４０２のそれぞれの総電力や帯域当たりの電力密度を変える場合がある。このような場合、ＷＵ無線信号を受信するときの受信ＲＦ部１３１１の自動利得制御（ＡＧＣ）に問題が発生する事がある。例えばＬ−ｐａｒｔ・１４０１の帯域が２０ＭＨｚで総電力を２００ｍＷとし、ＷＵＲ−ｐａｒｔ・１４０２の帯域が４ＭＨｚで総電力を２００ｍＷとすると、Ｌ−ｐａｒｔ・１４０１の１ＭＨｚ当たりの電力密度は１０ｍＷ／ＭＨｚ、ＷＵＲ−ｐａｒｔ・１４０２の１ＭＨｚ当たりの電力密度は５０ｍＷ／ＭＨｚとなる。また、Ｌ−ｐａｒｔ・１４０１の帯域が２０ＭＨｚで総電力を２００ｍＷとし、ＷＵＲ−ｐａｒｔ・１４０２の帯域が４ＭＨｚで総電力が４０ｍＷとすると、Ｌ−ｐａｒｔ・１４０１の１ＭＨｚ当たりの電力密度は１０ｍＷ／ＭＨｚ、ＷＵＲ−ｐａｒｔ・１４０２の１ＭＨｚ当たりの電力密度は１０ｍＷ／ＭＨｚとなる。前者の場合、ＷＵ無線信号を受信する際のＡＧＣで利用するフィードバック信号の帯域をＷＵＲ−ｐａｒｔ・１４０２の４ＭＨｚとするとＬ−ｐａｒｔ・１４０１とＷＵＲ−ｐａｒｔ・１４０２でフィードバック信号の電力が大きく変わり、後者の場合にフィードバック信号の帯域をＬ−ｐａｒｔ・１４０１の２０ＭＨｚとしていた場合に後段に出力されるＷＵＲ−ｐａｒｔ・１４０２の信号電力が少なくなる。つまり、受信ＲＦ部１３１１の動作設定をＬ−ｐａｒｔ・１４０１とＷＵＲ−ｐａｒｔ・１４０２の帯域と電力に応じて変える必要がある。この受信ＲＦ部１３１１やＬＰＦ部１３２０、包絡線検波部１３２１等の設定を変えるために、アクセスポイント１００１がＷＵ無線信号を送信する際に使用する電力や帯域に関する情報をステーション１００２、１００３に通知しても良い。この情報には、Ｌ−ｐａｒｔ・１４０１の信号帯域、総電力、電力密度に関する情報を１つ以上含めてよい。また、ＷＵＲ−ｐａｒｔ・１４０２の信号帯域、総電力、電力密度に関する情報を１つ以上含めてよい。また、総電力、もしくは電力密度について、Ｌ−ｐａｒｔ・１４０１とＷＵＲ−ｐａｒｔ・１４０２の比に関する情報を含めても良い。
【００９３】
ステーション１００２、１００３がアクセスポイント１００１からＷＵＲ−ｐａｒｔ・１４０２の信号帯域、総電力、電力密度に関する情報を受信するに先立って、ステーション１００２、１００３からアクセスポイントに対してステーション１００２、１００３が受信可能なＷＵＲ−ｐａｒｔ・１４０２の信号帯域、総電力、電力密度の少なくともいずれかに関する情報を送信しても良い。アクセスポイント１００１はステーション１００２、１００３から送信されたこのＷＵＲ−ｐａｒｔ・１４０２の信号帯域、総電力、電力密度の少なくともいずれかに関する情報を考慮してＷＵＲ−ｐａｒｔ・１４０２の信号帯域、総電力、電力密度等を決定し、ステーション１００２、１００３に対して信号帯域、総電力、電力密度に関する情報を１つ以上含めた情報を通知して良い。
【００９４】
アクセスポイント１００１はステーション１００２、１００３に対して送信するＷＵ無線信号のＬ−ｐａｒｔ・１４０１と、ＷＵＲ−ｐａｒｔ・１４０２の帯域を変更できるように構成しても良い。例えばＬ−ｐａｒｔ・１４０１の信号帯域幅を２０ＭＨｚ、４０ＭＨｚ、８０ＭＨｚのいずれかを選択できるように構成しても良い。また、ＷＵＲ−ｐａｒｔ・１４０２の信号帯域幅を２ＭＨｚ、４ＭＨｚ、８ＭＨｚ、１６ＭＨｚのいずれかを選択できるように構成しても良い。
【００９５】
端末識別子フィールド１５０３は複数のステーションに対して同じ値が割り当てられうることを既に説明したが、同じ端末識別子フィールド１５０３の値が割り当てられた複数のステーションが同時に割り当てられた端末識別子フィールド１５０３の値を設定したＷＵ無線信号を受信する可能性を低減するために、ＷＵ無線信号を送信する帯域の割り当て
を無線ＬＡＮ信号の帯域の中で変えても良い。このことについて図９を使用して説明する。一例として無線ＬＡＮ信号の帯域を２０ＭＨｚとし、ＷＵ無線信号の待機気を４ＭＨｚとし、無線ＬＡＮ信号の帯域を５等分したそれぞれの帯域においてＷＵ無線信号を送信する例を説明する。この５等分した帯域をＷＵ無線チャネルとし、無線ＬＡＮ信号の帯域の中で低い方から順にＷＵ無線チャネル１、ＷＵ無線チャネル２、ＷＵ無線チャネル３、ＷＵ無線チャネル４、ＷＵ無線チャネル５とする。このようにＷＵ無線チャネルを配置すると、ＷＵ無線チャネル３の中心周波数が無線ＬＡＮ信号の中心周波数と等しくなり、無線ＬＡＮ信号の周波数帯域内に複数のＷＵ無線信号チャネルを設定できないステーションに対してＷＵ無線チャネル３を割り当てる事が可能となる。ＷＵ無線チャネル３にＷＵ無線信号９０１を割り当てた場合の概略を図９（ａ）に示す。この状態は図１４に示したＷＵ無線信号と等しく、ここまで記載した図１３の構成を用いるステーションでＷＵ無線信号９０１を受信する事が可能である。
【００９６】
次に一例としてステーション１００２に対してＷＵ無線信号９０２を送信するときにＷＵ無線チャネル２を使用し、ステーション１００３に対してＷＵ無線信号９０３を送信するときにＷＵ無線チャネル４を使用する場合の概略を図９（ｂ）に示す。ステーションはＷＵ無線信号９０２とＷＵ無線信号９０３を１つずつ送信しても良いし、同時に送信しても良い。ステーション１００２、１００３は、待機モードに移行する際に受信ＲＦ部１３１１の設定を変えて受信する周波数を割り当てられたＷＵ無線チャネルに予め変更し、また、待機モードから復帰する際に受信ＲＦ部１３１１の設定を変えて元の周波数を受信する。ステーション１００２、１００３がＷＵ無線信号を受信する際に使用する受信ＲＦ部１３１１とＬＰＦ部１３２０の特性に大きく依存するが、ＷＵ無線信号９０２とＷＵ無線信号９０３を同時に送信する場合にステーション１００２、１００３が割り当てられたＷＵ無線チャネルのＷＵ無線信号をすると隣接するＷＵ無線チャネルの信号から妨害を受ける可能性がある。この隣接するＷＵ無線チャネルからの妨害を避けるために、アクセスポイント１００１が割り当てるＷＵ無線チャネルの間隔を話しても良い。図９（ｂ）では割り当てる２つのＷＵ無線チャネル（ＷＵＲ  ｃｈ２，ＷＵＲ  ｃｈ４）の間に未使用のＷＵ無線チャネル（ＷＵＲ  ｃｈ３）を設ける場合である。この間隔を決める事を助けるために、ステーション１００２、１００３から隣接するＷＵ無線チャネルの対妨害性能に関する情報をアクセスポイント１００１に対して送信しても良い。アクセスポイント１００１が一度に送信するＷＵ無線信号の数は２に限らず、２より大きな数を使用しても良い。図９（ｃ）に同時に３つのＷＵ無線信号を送信する事ができるＷＵ無線チャネル割り当ての例を示す。また、図９ではＷＵ無線チャネルがオーバーラップしないようなチャネル配置としているが、ＷＵ無線チャネルのオーバーラップを許し、ＷＵ無線信号を配置する周波数を増やしても良い。
【００９７】
複数のＷＵ無線信号を送信する場合、アクセスポイント１００１の送信電力の制限や法的規制により、ただ１つのＷＵ無線信号を送信する場合と比較して１つあたりのＷＵ無線信号の電力を下げなければならない事がある。このような場合、複数のＷＵ無線信号を送信するときの送信電力を、ただ１つのＷＵ無線信号を送信する場合に適用して良い。アクセスポイント１００１がステーション１００２、１００３に対してＷＵ無線信号の信号帯域、総電力、電力密度の少なくともいずれかに関する情報を送信する際は、この複数のＷＵ無線信号を送信するときの送信電力に基づいた値を使用して良い。
【００９８】
本実施形態に係るＡＰ１００１は、ＷＵ無線とプライマリ無線の両方の無線機能を用いてフレームを送信することができる。図６は本実施形態に係るフレーム送信の一例を示す概要図である。図６（ａ）に示すように、アクセスポイント１００１は、ＷＵ無線信号を送信する無線チャネル（WUR ch）において、ＷＵ無線信号を送信することができる。また、アクセスポイント１００１は、プライマリプライマリ無線信号を送信または受信する無線チャネル（PR ch）において、プライマリ無線信号を送信または受信することができる
。なお、ＷＵＲ  ｃｈとＰＲ  ｃｈが設定される無線チャネルは隣接する無線チャネルであることが好適である。ここで、アクセスポイント１００１が設定する無線チャネルの位置は、ＩＥＥＥ８０２．１１規格で仕様化されるチャネライゼーションに従うことができる。そのため、アクセスポイント１００１は、ＷＵＲ  ｃｈとＰＲ  ｃｈを必ずしも隣接する無線チャネルに配置する必要はない。例えば、アクセスポイント１００１は、ＰＲ  ｃｈにおいて、プライマリ無線を８０ＭＨｚのオペレーション帯域幅で運用していた場合、該８０ＭＨｚが備える４つの２０ＭＨｚのサブチャネル（周波数の低い方から、ｃｈ１、ｃｈ２、ｃｈ３、ｃｈ４と呼称する）のうち、アクセスポイント１００１は、ｃｈ１において、プライマリ無線信号を送信し、ｃｈ４においてＷＵ無線信号を、それぞれ送信することができる。
【００９９】
図６（ａ）においては、アクセスポイント１００１は、ＷＵ無線信号を送信している一方で、プライマリ無線信号を送信していない。このとき、ＷＵＲ  ｃｈにおいて受信状態にあるステーションは、ＷＵ無線信号が備えるＬ−ｐａｒｔ・６０１、およびＷＵＲ−ｐａｒｔ・６０２の何れか、または両方を受信することができる。例えば、ステーション１００２がＬ−ｐａｒｔ・６０１を受信することができれば、ステーション１００２は、時間期間６０３の間は、ＷＵ無線信号に対する受信状態を維持するため、ステーション１００２が時間期間６０３の間、フレーム送信を行なうことはない。
【０１００】
ところで、アクセスポイント１００１は、ＰＲ  ｃｈにおいて、プライマリ無線信号を送信または受信することができる。しかし、アクセスポイント１００１は、ＷＵＲ  ｃｈにおいてＷＵ無線信号の送信動作中である場合、ＰＲ  ｃｈにおいて受信動作に入ることができない。このとき、アクセスポイント１００１に接続されているステーション１００３が、ＷＵ無線信号を受信できない場合、アクセスポイント１００１が、ＷＵ無線信号の送信動作中であることを認識できないため、ステーション１００３は、ＰＲ  ｃｈにおいて、プライマリ無線信号を送信してしまう可能性がある。当然、ＷＵ無線信号の送信動作中であるアクセスポイント１００１は、該プライマリ無線信号を受信することができない。結果として、該プライマリ無線信号はアクセスポイント１００１に正しく受信されることはない。そのため、例えば、ステーション１００３が送信したプライマリ無線信号が、応答信号を引き起こすフレームであった場合、該応答信号を受信できないステーション１００３は、該プライマリ無線信号を再送することになってしまう。このことは、該ＰＲ  ｃｈを再利用している周辺のＢＳＳに属するアクセスポイント並びにステーションのチャネルアクセスの効率を低下させてしまう。
【０１０１】
上記で説明してきた問題は、ステーション１００３がＷＵ無線信号を正しく受信できないことに起因するが、ステーション１００３がＷＵ無線信号を受信できる機能を備えていたとしても、上記問題は発生する可能性がある。ステーション１００３が待機状態にあれば、ＷＵ無線信号に対する受信動作に入ることができるが、ＷＵ無線信号を受信したステーション１００３は、以降は、プライマリ無線による通信を行なうことになり、ＷＵ無線信号の受信動作には入らないためである。
【０１０２】
そこで、本実施形態に係るアクセスポイント１００１は、図６（ｂ）に示すように、ＷＵＲ  ｃｈにおいてＷＵ無線信号を送信する場合、同時に、ＰＲ  ｃｈにおいてプライマリ無線信号を送信することができる。ここで、“同時”とは、アクセスポイント１００１が、ＷＵ無線信号と、プライマリ無線信号を、それぞれ異なる無線チャネルを用いて並行して送信することも指す。また、“同時”とは、アクセスポイント１００１が、ＷＵ無線信号と、プライマリ無線信号と、をそれぞれ異なる無線チャネルを用いて、完全に同じ時刻に送信開始することを必ずしも指すものではなく、該ＷＵ無線信号と該プライマリ無線信号を観測する受信装置が、２つの無線信号が、同時に送信されたとみなすことが出来れば、アクセスポイント１００１は、該ＷＵ無線信号と該プライマリ無線信号を同時に送信
したと言える。例えば、該ＷＵ無線信号と該プライマリ無線信号がガードインターバルを含む信号であった場合、両者の受信タイミングのずれが、該ガードインターバル内に収まっていれば、該ＷＵ無線信号と該プライマリ無線信号は同時に送信されたとみなすことができる。
【０１０３】
図６（ｂ）に示す例によれば、アクセスポイント１００１は、ＰＲ  ｃｈにおいて、Ｌ−ｐａｒｔ・６０４を送信することができる。ここで、アクセスポイント１００１は、Ｌ−ｐａｒｔ・６０４として、Ｌ−ｐａｒｔ・６０１と同じ信号を送信することができるし、Ｌ−ｐａｒｔ・６０１に対して、位相回転を施した信号を送信することもできる。この位相回転は送信時に使用する各サブキャリアの位相をそれぞれ変えても良く、また、位相回転を施すサブキャリアと位相回転を施さないサブキャリアがあっても良い。アクセスポイント１００１は、Ｌ−ｐａｒｔ・６０４として、ＩＥＥＥ８０２．１１ａ／ｂ／ｇ／ｎ／ａｃ／ａｘ規格の何れかの規格で規定されるプリアンブル（ＰＨＹヘッダ）を送信することができる。このことは、アクセスポイント１００１が、ＰＲ  ｃｈとＷＵＲ  ｃｈでそれぞれ送信する無線信号が備えるプリアンブルの長さは異なる場合があることを意味している。ここでプリアンブルとは、ＳＩＧ、ＳＴＦ、およびＬＴＦの何れか１つ、または複数のフィールドを備える信号である。いずれの場合においても、アクセスポイント１００１は、Ｌ−ｐａｒｔ・６０４に記載されるフレーム長を示す情報（Ｄｕｒａｔｉｏｎ、Ｌｅｎｇｔｈ、ＴＸＯＰ）として、時間期間６０３を示す情報を記載することができる。なお、図６（ｂ）は、アクセスポイント１００１が、ＰＲ  ｃｈにおいて、Ｌ−ｐａｒｔ・６０４のみを送信している様子を示しているが、アクセスポイント１００１は、Ｌ−ｐａｒｔ・６０４に続いて、更に無線信号をＰＲ  ｃｈにおいて送信することもできる。
【０１０４】
このようなプライマリ無線信号をアクセスポイント１００１がＷＵ無線信号と一緒に送信することで、該ＷＵ無線信号を受信しないステーション１００３は、該プライマリ無線信号を受信することで、少なくとも時間期間６０３の間は、アクセスポイント１００１に対するプライマリ無線信号の送信動作に入ることはない。よって、ステーション１００３は、ＰＲ  ｃｈにおいて受信状態に入っていないアクセスポイント１００１に対して、プライマリ無線信号を、ＰＲ  ｃｈにおいて送信することがなくなる。このとき、ＯＢＳＳの関係にある他のＢＳＳに所属するアクセスポイントやステーションが該ＰＲ  ｃｈにおいてプライマリ無線信号やＷＵ無線信号を送信することが可能となるから、該ＰＲ  ｃｈの周波数利用効率を改善することができる。このことからも、アクセスポイント１００１は、Ｌ−ｐａｒｔ・６０４に対して、アクセスポイント１００１もしくはアクセスポイント１００１が管理するＢＳＳに属する装置が送信したことを示す情報（例えばＢＳＳ  ｃｏｌｏｒ）を含めることができる。
【０１０５】
アクセスポイント１００１は、ＷＵ無線信号とプライマリ無線信号を同時に送信する場合、それぞれの周波数チャネルにおいて、キャリアセンスを行なう必要がある。図８は本実施形態に係るアクセスポイント１００１が実施するキャリアセンス動作の様子の一例を示す概要図である。図８（ａ）に示すように、アクセスポイント１００１は、ＷＵＲ  ｃｈにおいては、期間８０１が示す所定の期間（第１の期間）（例えば、DIFSやAIFS）と、期間８０２が示すランダムバックオフを含むキャリアセンスを行なう。またアクセスピンと１００１は、ＰＲ  ｃｈにおいては、期間８０４が示すように、ＷＵＲ  ｃｈのランダムバックオフ終了時点から、所定の期間（第２の期間）（例えばPIFS(25us)）だけ遡った時間からキャリアセンスを行なうことができる。アクセスポイント１００１は、ＷＵＲ  ｃｈとＰＲ  ｃｈの両方がアイドル状態と判断できた場合、ＷＵ無線信号８０３とプライマリ無線信号８０５を同時に送信することができる。アクセスポイント１００１は、ＷＵＲ  ｃｈのみアイドル状態と判断できた場合、ＷＵ無線信号だけを送信することができる。アクセスポイント１００１は、ＰＲ  ｃｈのみアイドル状態と判断できた場合は、プライマリ無線信号を送信してはならない。
【０１０６】
先に説明した方法では、アクセスポイント１００１はＷＵＲ  ｃｈにおいて、ランダムバックオフを含むキャリアセンスを実施しているが、アクセスポイント１００１は、図８（ｂ）に示すように、ＰＲ  ｃｈにおいて、ランダムバックオフを含むキャリアセンスを実施してもよい。すなわち、アクセスポイント１００１は、ＰＲ  ｃｈにおいては、期間８０８および期間８０９が示すランダムバックオフを含む所定の期間だけ、キャリアセンスを行ない、ＷＵＲ  ｃｈにおいては、期間８０７が示すように、ＰＲ  ｃｈのランダムバックオフ終了時間から、所定の期間だけ遡った時間からキャリアセンスを行なうこともできる。このとき、アクセスポイント１００１が、ＰＲ  ｃｈのみアイドル状態と判断できた場合、ＷＵ無線信号８０３をＷＵＲ  ｃｈにおいて送信してはならないが、ＰＲ  ｃｈにおいてプライマリ無線信号８０５を送信することはできる。この場合、該プライマリ無線信号に、ＷＵ無線信号に関連付けられた情報（例えば、ＷＵ無線信号の送信期間）を記載する必要はない。
【０１０７】
また、アクセスポイント１００１が、ＰＲ  ｃｈのみアイドル状態と判断できた場合、ＰＲ  ｃｈにおいて、ＷＵ無線信号を送信することも可能である。ただし、アクセスポイント１００１は、ＰＲ  ｃｈにおいて、ＷＵ無線信号を送信する可能性のあることを、アクセスポイント１００１が管理するＢＳＳに属するステーションに通知する必要がある。また、アクセスポイント１００１は、ＰＲ  ｃｈにおいて、ＷＵ無線信号を送信する場合、該ＰＲ  ｃｈにおいてＷＵ無線信号を受信できないステーションを保護するために、プロテクション動作を実施することができる。該プロテクション動作は、アクセスポイント１００１がＣＴＳ−ｔｏ−ｓｅｌｆフレームの送信によって実施しても良い。また、アクセスポイント１００１は、ＰＲ  ｃｈにおいて、ＷＵ無線信号を受信することが可能なステーションだけに、該ＢＳＳへの接続を許可することができる。
【０１０８】
アクセスポイント１００１は、ＷＵＲ  ｃｈおよびＰＲ  ｃｈの両方において、ランダムバックオフ動作を含むキャリアセンスを行なうことができる。図８（ｃ）が示すように、アクセスポイント１００１は、ＷＵＲ  ｃｈとＰＲ  ｃｈとで、共通のランダムバックオフ値が示す期間８１１を用いて、キャリアセンスを行なうことができる。すなわち、アクセスポイント１００１は、ＷＵ無線信号の送信するに先立って、ランダムバックオフ値（コンテンションウィンドウ値）を１つ選択し、ＷＵＲ−ｃｈおよびＰＲ  ｃｈの両方において期間８１０が示す所定の期間（例えば、ＡＩＦＳやＤＩＦＳ）キャリアセンスした後、さらに、期間８１１が示す該ランダムバックオフ値で決定される期間（例えば、ランダムバックオフ値×９ｕｓ）キャリアセンスを行なうことができる。該キャリアセンス動作により、ＷＵＲ  ｃｈとＰＲ  ｃｈの両方のチャネルがアイドル状態と判断された場合、アクセスポイント１００１は、ＷＵ無線信号８０３とプライマリ無線信号８０５を同時に送信することができる。
【０１０９】
また、アクセスポイント１００１は、図８（ｄ）に示すように、ＷＵＲ  ｃｈおよびＰＲ  ｃｈのそれぞれにおいて、独立のランダムバックオフ動作を含むキャリアセンスを行なうことができる。この場合、アクセスポイント１００１は、ＷＵＲ  ｃｈおよびＰＲ  ｃｈにおいて、それぞれ独立にランダムバックオフ値を選択することができる。このとき、アクセスポイント１００１が、ＰＲ  ｃｈで選択したランダムバックオフ値が、ＷＵＲ
ｃｈで選択したランダムバックオフ値と異なる場合、もしくは、ランダムバックオフ動作に先立ってキャリアセンスが行われる所定の期間の長さが、ＷＵＲ  ｃｈとＰＲ  ｃｈとで異なる場合、アクセスポイント１００１は、ＷＵ無線信号８０３の送信に先立って、プライマリ無線信号８１６を送信する可能性がある。一方で、アクセスポイント１００１は、ＷＵ無線信号８０３の送信を開始したのち、プライマリ無線信号８１６を送信する可能性もある。いずれの場合においても、アクセスポイント１００１は、プライマリ無線信号８１６に対して、該プライマリ無線信号８１６の送信開始から、想定されるＷＵ無線信
号８０３の送信終了までの期間（期間８１７）を示す情報を含めて送信する。なお、アクセスポイント１００１は、その後、ＷＵＲ  ｃｈがビジー状態と判断した場合、ＷＵ無線信号を送信しないが、その場合、アクセスポイント１００１は、ＰＲ  ｃｈにおいて、自装置が獲得した送信権を放棄することを示す情報を含んだプライマリ無線信号（例えばＣＦ−ｅｎｄフレーム）をＰＲ  ｃｈで送信することができる。
【０１１０】
アクセスポイント１００１がランダムバックオフ値を決定する際に参照する内部パラメータは、アクセスポイント１００１がＷＵ無線信号を送信する場合に用いる内部パラメータと、プライマリ無線信号を送信する場合に用いる内部パラメータのどちらでも構わない。アクセスポイント１００１が、ＷＵ無線信号（もしくはプライマリ無線信号）を送信する場合に、ＷＵ無線（もしくはプライマリ無線）の内部パラメータを参照するのは当然だが、
例えば、アクセスポイント１００１は、ＷＵ無線のＡＣ毎に設定されているＣＷに基づいて、プライマリ無線信号を送信する際に用いるランダムバックオフ値を決定することができる。
【０１１１】
また、アクセスポイント１００１は、ＷＵ無線とプライマリ無線との間で、内部パラメータの一部を、共通の値として、参照することができる。アクセスポイント１００１は、ＡＣ毎に設定されているＣＷ、ＣＷ＿ｍｉｎ、ＣＷ＿ｍａｘ、リトライカウンタ、ＡＩＦＳＮ等の値をＷＵＲとＰＲとの間で共通とすることができる。例えば、アクセスポイント１００１が所定のＡＣでプライマリ無線信号を送信し、該プライマリ無線信号を正しく送信できかなった場合、ＣＷの値を増加させるが、次いで、アクセスポイント１００１が該ＡＣでＷＵ無線信号を送信する場合には、アクセスポイント１００１がプライマリ無線信号の送信動作によって変更したＣＷの値を用いて、ランダムバックオフ値を設定することができる。
【０１１２】
アクセスポイント１００１は、ＷＵ無線信号の送信に先立って、ＰＲ  ｃｈに対して、自装置がＰＲ  ｃｈを所定の期間だけ確保したことを示す情報を含んだプライマリ無線信号（例えばCTS-to-self）を、ＰＲ  ｃｈで送信することができる。なお、アクセスポイ
ント１００１は、該プライマリ無線信号に、アクセスポイント１００１、もしくはアクセスポイント１００１が管理するＢＳＳに属する装置が送信したことを示す情報（例えばＢＳＳ  ｃｏｌｏｒ）を含めて送信することができる。アクセスポイント１００１は、該プライマリ無線信号に、アクセスポイント１００１がＷＵＲ  ｃｈにおいてＷＵ無線信号を送信するのに必要とする時間期間を示す情報を含めて送信することができる。なお、アクセスポイント１００１が実際にＷＵ無線信号を送信するのに要した時間期間より、該プライマリ無線信号によって確保した送信期間が短かった場合、アクセスポイント１００１は、該ＷＵ無線信号の送信を完了したのち、ＰＲ  ｃｈにおいて、アクセスポイント１００１が確保した送信期間を放棄することを示す情報を含めたプライマリ無線信号（例えばCF-endフレーム）を送信することができる。
【０１１３】
アクセスポイント１００１は、図６（ｃ）に示すように、ＰＲ−ｐａｒｔ・６０５を含めることもできる。つまり、アクセスポイント１００１は、例えばステーション１００２に対して、ＷＵ無線信号を送信すると同時に、ステーション１００３に対して、プライマリ無線信号を送信することも可能である。ただし、該プライマリ無線信号がＲｅｓｐｏｎｓｅ・６０６（例えばＡＣＫフレーム）を引き起こすフレームであった場合、アクセスポイント１００１がＷＵ無線信号を送信している時間期間６０３の間に、該Ｒｅｓｐｏｎｓｅ・６０６が発生した場合、アクセスポイント１００１は、該Ｒｅｓｐｏｎｓｅ・６０６を受信することができない。そのため、アクセスポイント１００１が、Ｒｅｓｐｏｎｓｅ・６０６を引き起こすプライマリ無線信号を送信する場合、アクセスポイント１００１がＷＵ無線信号の送信を完了し、ＰＲ  ｃｈにおいて受信動作に入ったあとで、該Ｒｅｓｐ
ｏｎｓｅ・６０６が発生するように、該プライマリ無線信号を送信することができる。例えば、図６（ｃ）に示すように、アクセスポイント１００１は、ＷＵ無線信号と、プライマリ無線信号のフレーム長を揃えることができる。この場合、アクセスポイント１００１は、Ｌ−ｐａｒｔ・６０１とＬ−ｐａｒｔ・６０４のＬｅｎｇｔｈ（Ｄｕｒａｔｉｏｎ）フィールドに、異なる値を記載することになる。ただし、アクセスポイント１００１は、Ｌ−ｐａｒｔ・６０４のＬｅｎｇｔｈフィールドの値は、Ｌ−ｐａｒｔ・６０１のＬｅｎｇｔｈフィールドの値より、大きく設定することができる。また、Ｌ−ｐａｒｔ・６０１に設定するＬｅｎｇｔｈフィールドの値は、ＷＵＲ−ｐａｒｔ・６０２の長さ６０３ではなく、ＰＲ  ｃｈで送信するＬ−ｐａｒｔ・６０４でも良い。また、ＷＵＲ  ｃｈにおいてＷＵ無線信号を送信しないときは、ＰＲ  ｃｈとＷＵＲ  ｃｈの両方を使用してＰＲ−ｐａｒｔを送信して良い。また、プライマリ無線として使用するチャネルは１つに限定されず、複数の無線チャネルを同時に使用して良い。このとき、ＷＵ無線信号の送信時にＬ−ｐａｒｔ・６０４を送信するプライマリ無線の無線チャネルは１つでも良く、また、複数のプライマリ無線のチャネルでＬ−ｐａｒｔ・６０４の信号を送信しても良い。
【０１１４】
また、アクセスポイント１００１は、ＷＵＲ  ｃｈで送信するＷＵ無線信号を、ＰＲ  ｃｈでも送信することができる。すなわち、アクセスポイント１００１は、ＷＵ無線信号を複製し、それぞれを、ＷＵＲ  ｃｈおよびＰＲ  ｃｈにおいて送信することができる。このとき、アクセスポイント１００１は、複製したＷＵ無線信号に対して、それぞれ異なる位相回転を与えて送信することができる。この場合、ステーション１００２は、ＷＵＲ
ｃｈとＰＲ  ｃｈの何れか片方で、ＷＵ無線に対する受信動作に入ることで、該ＷＵ無線信号を受信することができる。また、ステーション１００２は、ＷＵＲ  ｃｈとＰＲ  ｃｈでそれぞれ受信したＷＵ無線信号を合成して受信することで、ＷＵ無線信号の受信品質を改善することができる。この場合、アクセスポイント１００１は、ＷＵ無線信号を複製した信号を、複数の無線チャネルから送信する可能性があることを、ＢＳＳ内のステーションに報知することができる。また、ステーション１００２は、複数の無線チャネルにおいて送信される該ＷＵ無線信号を受信できる機能を備えることを、アクセスポイント１００１に通知することができる。 
【０１１５】
アクセスポイント１００１は、ＷＵＲ  ｃｈとＰＲ  ｃｈとの間で、異なるキャリアセンスレベル（最小受信感度、ＣＣＡ閾値）を用いて、キャリアセンスを行なうことができる。
【０１１６】
アクセスポイント１００１は、ＰＲ  ｃｈにおいて、ＷＵ無線信号を送信する場合、該ＰＲ  ｃｈにおいてプライマリ無線信号を送信する場合に行なうキャリアセンスに用いるキャリアセンスレベル以下のキャリアセンスレベルを用いて、キャリアセンスを行なうことができる。
【０１１７】
アクセスポイント１００１は、ＷＵ無線信号とプライマリ無線信号を同時に送信する場合、共通のキャリアセンスレベルを用いてキャリアセンスを行なうことができる。このとき、アクセスポイント１００１は、ランダムバックオフ動作を含むキャリアセンスを行なう無線チャネルで送信する無線信号に用いるキャリアセンスレベルを、ランダムバックオフ動作を含まないキャリアセンスを行なう無線チャネルで送信する無線信号に用いることができる。
【０１１８】
なお、ステーション１００３は、プライマリ無線信号による通信を行なっている状態にあったとしても、同時にＷＵ無線信号を受信する機能を備えることができる。この場合、ステーション１００３は、プライマリ無線信号とＷＵ無線信号を同時に受信できる機能を備えることを、アクセスポイント１００１に通知することができる。アクセスポイント１００１は、アクセスポイント１００１が管理するＢＳＳに接続されている全てのステーシ
ョンがプライマリ無線信号とＷＵ無線信号を同時に受信できる機能を備えていることが認識できるのであれば、ＷＵ無線信号だけを送信することができる。
【０１１９】
なお、ステーション１００２は、ＷＵＲ  ｃｈにおいて、ＷＵ無線に対する受信動作に入っている場合、アクセスポイント１００１が送信するＷＵ無線信号を受信することができる。このとき、該ＷＵ無線信号がステーション１００２宛ての無線信号であることを、ステーション１００２が認識できた場合、ステーション１００２は、ＰＲ  ｃｈにおいて、プライマリ無線に対する受信動作に入ることができる。すなわち、ステーション１００２は、ＷＵ無線信号を受信することによって、受信動作に入る無線チャネルを切り替えることができる。なお、ステーション１００２は、プライマリ無線における通信を行なったあとに、再び、ＷＵＲ  ｃｈにおいて、ＷＵ無線に対する受信動作に入ることができる。このとき、ステーション１００２は、ＰＲ  ｃｈにおけるプライマリ無線に対する受信動作を停止することができる。
【０１２０】
アクセスポイント１００１は、ＰＲ  ｃｈとＷＵＲ  ｃｈを設定する無線チャネルを変更することができる。アクセスポイント１００１は、いずれの無線チャネルがＰＲ  ｃｈもしくはＷＵＲ  ｃｈに設定されているかを示す情報を、ＢＳＳ内に報知することができる。アクセスポイント１００１は、ＰＲ  ｃｈもしくはＷＵＲ  ｃｈに設定する無線チャネルを変更する場合、無線チャネルの変更に先立って、無線チャネルを変更することを示す情報を、ＢＳＳ内に報知することができる。アクセスポイント１００１は、無線チャネルを変更することを示す情報を、ＰＲ  ｃｈもしくはＷＵＲ  ｃｈの何れか一方、または両方の無線チャネルを用いて報知することができる。アクセスポイント１００１は、該無線チャネルを変更することを示す情報に、無線チャネルを変更するタイミングを示す情報を含めることができる。アクセスポイン１００１は、該無線チャネルを変更するタイミングを示す情報として、該無線チャネルを変更することを示す情報を報知する際に送信する無線信号の送信回数に関連付けられた情報を用いることができる。
【０１２１】
以上、説明してきた方法によれば、アクセスポイント１００１がＷＵ無線信号を送信している最中に、ＢＳＳ内のアクセスポイントがプライマリ無線信号を送信することがなくなるため、ＯＢＳＳの関係にあるＢＳＳに対する干渉が少なくなるから、周波数利用効率の改善が期待できる。
【０１２２】
（第２の実施形態）
図１４に本実施形態に係るＷＵ無線信号の構成の一例を示す。図１４（ａ）において、縦軸方向は信号が占有する周波数帯域を示し、横軸は時間方向の占有時間を示す。１４０１はレガシー部分（Ｌ−ｐａｒｔ）で従来の無線ＬＡＮ信号と互換性がある信号を使用し、ＷＵ無線信号を受信できないステーションも受信可能な信号である。１４０２はＷＵ無線部分（ＷＵＲ−ｐａｒｔ）でＷＵ無線信号を受信する事ができるステーション用の信号である。図１４（ａ）に示したように、最初にＬ−ｐａｒｔ・１４０１を送信し、続いてＷＵＲ−ｐａｒｔ・１４０２を送信する。ＷＵＲ−ｐａｒｔ・１４０２はＬ−ｐａｒｔ・１４０１より帯域が狭く、情報速度を遅い信号形式を使用する事で、復調時に使用する電力を低減できるようにする。
【０１２３】
本実施の形態では、Ｌ−ｐａｒｔ・１４０１の信号と、ＷＵＲ−ｐａｒｔ・１４０２の信号を、ＩＤＦＴを使用して生成する。図１４（ｂ）はＬ−ｐａｒｔ・１４０１を生成する際のＩＤＦＴ処理前のサブキャリア配置の概略図である。一例として、ＩＤＦＴの処理ポイント数が６４（インデックスの範囲を−３２〜３１とする）の場合、インデックスが−２６〜２６の範囲にサブキャリアを配置し、ＩＤＦＴ後のベースバンド信号が所定の帯域、例えば２０ＭＨｚに収まるようにする。なお、インデックス０はＤＣ（直流）キャリアとして使用しない。ＩＤＦＴのサブキャリアに設定する値は特に限定しないが、例えば
ＩＥＥＥ８０２．１１ａ規格で規定されているＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（ＳＩＧｎａｌ）フィールドで使用する値を使用しても良い。ＳＩＧフィールドの後ろに更に互換性を持たせるための信号を付加しても良い。なお、ＩＤＦＴのポイント数は６４に限定されず、例えば４０ＭＨｚ帯域とするために１２８ポイントのＩＤＦＴを使用しても良く、また、８０ＭＨｚ帯域とするために２５６ポイントのＩＤＦＴを使用しても良い。１２８ポイント、または２５６ポイントのＩＤＦＴを使用する場合、６４ポイントのＩＤＦＴを使用する場合に使用するサブキャリアの値を複製し、所望のポイント数の値を用意しても良い。図１４（ｃ）はＷＵＲ−ｐａｒｔ・１４０２を生成する際のＩＤＦＴ処理前のサブキャリア配置の概略図である。一例として、ＩＤＦＴ処理ポイント数が６４の場合、インデックスが−６〜６の範囲にサブキャリアを配置し、ＩＤＦＴ後のベースバンド信号が例えば４ＭＨｚに収まるようにする。なお、インデックス０はＤＣキャリアとして使用しない。ＷＵＲ信号送信時にサブキャリアに設定する値は特に指定しないが、一例としてＬ−ｐａｒｔのプリアンブル送信時例えばＩＥＥＥ８０２．１１ａのＳＴＦまたはＬＴＦに使用するサブキャリアの値を用いる方法や、Ｍ系列などの疑似乱数系列の一部を使用する方法などを使用して良い。
【０１２４】
受信側のステーションにおいて、ＷＵ無線信号の復調時に使用する電力を低減するために、ＷＵ無線信号は包絡線検波が可能な形式とする。本実施の形態では、ＯＯＫ（オン・オフ・キーイング）変調方式を使用する。本実施の形態では、データの符号化として無符号（符号を使用しない）と、マンチェスター符号を使用する符号化の２種類を使用するが、符号化方法は１種類でも良く、また２種類より多い種類を使用して良い。無符号のＯＯＫ変調を行った時のＷＵ無線信号の一例を図７（ａ）に示す。変調シンボルは所定時間を単位とし、ＷＵ無線信号の振幅の有無を送信データビットに割り当てる。本実施の形態では振幅０を送信ビットの０とし、送信に使用するサブキャリアに所定のデータを設定してＷＵ無線信号の振幅がある状態を送信ビットの１とする。マンチェスター符号を使用したＯＯＫ変調を行った時のＷＵ信号の一例を図７（ｂ）に示す。無符号のＯＯＫ変調を行った変調シンボル２つを１符号単位とし、マンチェスター符号による符号化後の変調シンボルとする。本実施の形態では無符号のＯＯＫ変調シンボルが０、１と並んだ状態を符号化前の送信データビット１とし、無符号のＯＯＫ変調シンボルが１、０と並んだ状態を符号化前の送信データビット０とする。ここでは２つのＯＯＫシンボルを利用して１ビットのデータを送信する例を示したが、１つのＯＯＫシンボルを２つに分割し、前半部分の振幅が０で後半部分の振幅が１のＯＯＫシンボルを送信データビット１とし、前半部分の振幅が１で後半部分の振幅が０のＯＯＫシンボルを送信データビット０とするマンチェスター符号化を用いても良い。
【０１２５】
図１４（ａ）のＷＵＲ−ｐａｒｔ・１４０２で使用するＷＵ無線フレーム構造の概要を図７（ｃ）に示す。ＷＵ無線フレームは、２５０１は同期に使用するための同期部分で、所定の数と値のＯＯＫ変調シンボルで構成される。例えば、この同期部分は所定の数、例えば４つまたは８つのＯＯＫ変調シンボルで構成され、４つの場合は送信データビットが１、０、１、０のＯＯＫシンボルの並びとして良い。８つの場合はマンチェスター符号を使用して１、０、１、０の送信データを使用し、計８つのＯＯＫシンボルを送信しても良い。２５０２は後続するペイロード部２５０３、予約部２５０４、ＦＣＳ・２５０６で使用する変調シンボルの変調方式・符号化方式（Ｍｏｄｕｒａｔｉｏｎ  ａｎｄ  Ｃｏｄｉｎｇ  Ｓｃｈｅｍｅ，ＭＣＳ）とペイロード部２５０３、予約部２５０４、ＦＣＳ・２５０６として送信するシンボル数を示すためのＳＩＧ（ＳＩＧｎａｌ）フィールドである。ＳＩＧフィールド２５０２の構造の一例を図７（ｄ）に示す。２５１１はＳＩＧフィールド２５０２以降で使用する部分のＭＣＳを指定するＭＣＳフィールド、２５１２はＳＩＧフィールド２５０２以降の部分で使用するシンボル数を示すＬｅｎｇｔｈフィールド、２５１３はＭＣＳフィールド２５１１とＬｅｎｇｔｈフィールド２５１２のパリティ情報を
表すパリティフィールドである。ＭＣＳフィールド２５０２は、一例として無符号のＯＯＫ変調を使用する場合、１ビットの情報ビットに対してマンチェスター符号を使用した２つのＯＯＫ変調を使用する場合、１ビットの情報ビットに対してマンチェスター符号を使用した１つのＯＯＫ変調を使用する場合、などの組み合わせを示して良い。ＭＣＳとしてマンチェスター符号以外の符号を使う場合を含めても良く、またマンチェスター符号に他の符号を組み合わせる場合を含めても良い。この組み合わせの一例を図７（ｆ）に示す。この例では、ＭＣＳが“００”の場合は１ビットの送信ビットを無符号の１つのＯＯＫシンボルで送信する場合、ＭＣＳが“０１”の場合は１ビットの送信ビットを、マンチェスター符号を使用した２つのＯＯＫシンボルで送信する場合、ＭＣＳが“１０”の場合は１ビットの送信ビットをマンチェスター符号化された１つのＯＯＫシンボルで送信する場合、ＭＣＳが“１１”の場合はＢＣＨ符号化された送信ビットの１ビットを２つのＯＯＫシンボルで送信する場合を表す。Ｌｅｎｇｔｈフィールド２５１２は送信シンボル数ではなく、送信する情報ビットの数を使用しても良い。この場合、ＭＣＳフィールド２５１１が示すＭＣＳを利用する事で送信シンボル数を得る事が可能である。パリティフィールド２５１３に含むパリティ情報のビット数は特に指定しないが、１ビットから４ビットのパリティを使用しても良い。１ビットの場合は生成多項式としてｘ＋１、４ビットの場合は生成多項式としてｘ＾４＋ｘ＋１を使用するＣＲＣ（Ｃｙｃｌｉｃ  Ｒｅｄｕｎｄａｎｃｙ
Ｃｈｅｃｋ）符号を利用しても良い。
【０１２６】
次にペイロード部２５０３の構造の一例を図７（ｅ）に示す。２５２１はＷＵ無線パケットの種別を表すＴｙｐｅフィールド、２５２２はＷＵ無線パケットを送信するアクセスポイント（ＡＰ）を識別するためのＡＰ識別子フィールド、２５２３はＷＵ無線パケットを送信する先のステーション（ＳＴＡ）を識別するためのＳＴＡ識別子フィールド、２５２４はＴｙｐｅフィールド２５２１の種類に対応して使用する情報を格納するための他情報フィールドである。２５０４はペイロード部２５０３に含まれない情報をＷＵ無線パケットに含めるための予約部で、ここに含める送信ビットの内容は特に規定されない。また、予約部２５０４がＷＵ無線パケットに含まれなくても良い。２５０５はペイロード部２５０３と予約部２５０４の受信誤りを検出するための情報を含めるＦＣＳ（Ｆｒａｍｅ  Ｃｈｅｃｋ  Ｓｅｑｕｅｎｃｅ）フィールドで、一例として１６ビット長のＣＲＣ符号を使用して良い。
【０１２７】
ＷＵ無線パケットは情報速度が遅いため、設定するＭＣＳによっては必要な送信時間が長くなってしまい、無線媒体を長期間占有してしまう。無線媒体の占有時間を短くしたい場合、設定するＭＣＳによってペイロード部２５０３と予約部２５０４に含める送信ビット数に制限を加え、所定の長さ以上の送信シンボルをＳＩＧフィールド２５０２のＬｅｎｇｔｈフィールド２５１２に設定できないようにしても良い。例えば、図７（ｆ）に示したＭＣＳが０１の場合、１００ビットの送信ビットを送信するために必要な送信シンボルは２００、ＭＣＳが１１の場合、ＢＣＨ符号を適用した場合に送信ビット数が更に倍になるため必要な送信シンボル数が４００となる。ペイロード部２５０３と予約部２５０４の送信のために使用する送信シンボル数を制限する場合の一例として、送信シンボル数を最大４００シンボルと設定すると、ＭＣＳが００の場合は最大送信ビット数が４００、ＭＣＳが０１の場合は最大送信ビット数が２００、ＭＣＳが１０の場合は最大送信ビット数が４００、ＭＣＳが１１の場合は最大送信ビット数が１００となる。
【０１２８】
以上のように動作する事で、ペイロード部２５０３と予約部２５０４を送信する際のＭＣＳを設定する事で効率の良いＷＵ無線パケットの送信が可能となる。
【０１２９】
（第３の実施形態）
【０１３０】
ＷＵ無線非対応の無線ＬＡＮ機器が、図１４（ａ）に記載したＷＵ無線パケットを受信
すると、Ｌ−ｐａｒｔ・１４０１に含まれるＳＩＧフィールドの値によって、ＷＵＲ−ｐａｒｔ・１４０２を受信した時にＳＩＧフィールドに示されるＤｕｒａｔｉｏｎフィールドの値によらず待機状態に移行してしまう事がある。これはＩＥＥＥ８０２．１１仕様（非特許文献１）に記載しているように、無線ＬＡＮ機器がＨＴ  ＰＨＹ送信時にＳＩＧフィールドで示すＭＣＳが６Ｍｂｐｓである事が指定され、ＨＴ  ＰＨＹで送信された送信パケットを受信する無線ＬＡＮ機器は、ＳＩＧフィールドを復調後に、ＳＩＧフィールドの直後に配置しているＨＴ−ＳＩＧフィールドの復調を試み、ＨＴ−ＳＩＧフィールドの復調に失敗するとＳＩＧフィールドの値によらず待機状態に移行するためである。ＳＩＧフィールドの値によらず待機状態に移行する無線ＬＡＮ機器が存在すると、それらの無線ＬＡＮ機器がパケットを送信する事によりＷＵＲ−ｐａｒｔ・１４０２に干渉が発生し、ＷＵ無線パケットを受信しているＷＵ無線非対応の無線ＬＡＮ機器が、このＷＵ無線パケットの受信に失敗する事がある。
【０１３１】
この問題を解決するために、ＷＵ無線パケットを送信する際に送信するＬ−ｐａｒｔ・１４０１に含めるＳＩＧフィールド（もしくはRATEフィールド）において、ＭＣＳが６Ｍｂｐｓ以外の値、例えば９Ｍｂｐｓや１２Ｍｂｐｓを設定し、Ｌ−ｐａｒｔ・１４０１に含めるＬｅｎｇｔｈフィールドの値をＬ−ｐａｒｔ・１４０１のＳＩＧフィールドで設定したＭＣＳに基づいた値に設定する事で、ＷＵ無線パケットに付加するＬ−ｐａｒｔ・１４０１がＯＦＤＭ  ＰＨＹの無線ＬＡＮ機器から送信されたものと等価であるようにし、ＷＵ無線非対応の無線ＬＡＮ機器がＷＵ無線パケットを受信した時に、ＳＩＧフィールドの値によらず待機状態に移行する事を防ぐことが可能となる。
【０１３２】
以上のように動作する事で、ＷＵ無線非対応の無線ＬＡＮ機器がＷＵ無線パケットを受信した時に、ＳＩＧフィールドの値によらず待機状態に移行する事を防ぎ、無線媒体の利用効率を向上させることが可能となる。
【０１３３】
（全実施形態共通）
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１３４】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１３５】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであ
ってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一または複数の態様は当該技術による新たな集積回路を用いることも可能である。
【０１３６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１３８】
本発明は、無線通信装置に利用可能である。
【符号の説明】
【０１３９】
１００１  アクセスポイント
１００２，１００３  ステーション
１５０１，１７０１  同期部分
１５０２，１７０２  ＭＣＳフィールド
１５０３，１７０３  端末識別子フィールド
１５０４，１７０４  カウンタフィールド
１５０５，１７０５  予約フィールド
１５０６，１７０６  ＦＣＳフィールド
１５１１  ＢＳＳ  ｃｏｌｏｒフィールド
１５１２  アソシエーション識別子フィールド
１５１３  Ｐａｒｔｉａｌ  ＡＩＤフィールド
１４０１，１８０１  レガシー部分
１４０２，１８０２−１〜１８０２−６  ＷＵ無線部分
９０１〜９０６  ＷＵ無線信号
１２０１，１３１０  プリアンブル生成部
１２０２，１３０２  送信データ制御部
１２０３，１３０３  マッピング部
１２０４，１３０４  ＩＤＦＴ部
１２０５，１３０５  Ｐ／Ｓ変換部
１２０６，１３０６  ＧＩ付加部
１２０７，１３０７  Ｄ／Ａ変換部
１２０８，１３０８  送信ＲＦ部
１２０９，１３０９  アンテナ切替部
１２１０，１３１０  アンテナ部
１２１１，１３１１  受信ＲＦ部
１２１２，１３１２  Ａ／Ｄ変換部
１２１３，１３１３  シンボル同期部
１２１４，１３１４  Ｓ／Ｐ変換部
１２１５，１３１５  ＤＦＴ部
１２１６，１３１６  デマッピング部
１２１７，１３１７  受信データ制御部
１２１８  ＤＳ制御部
１２１９，１３１９  制御部
１３１８  アプリケーションＩＦ部
１３２０  ＬＰＦ部
１３２１  包絡線検波部
１３２２  同期部
１３２３  復調部
【図１】
2020145485.tif 000009
【図２】
2020145485.tif 000010
【図３】
2020145485.tif 000011
【図４】
2020145485.tif 000012
【図５】
2020145485.tif 000013
【図６】
2020145485.tif 000014
【図７】
2020145485.tif 000015
【図８】
2020145485.tif 000016
【図９】
2020145485.tif 000017
【図１０】
2020145485.tif 000018
【図１１】
2020145485.tif 000019
【図１２】
2020145485.tif 000020
【図１３】
2020145485.tif 000021
【図１４】
2020145485.tif 000022
【図１５】
2020145485.tif 000023